(57)【要約】  本技術は、ウェアラブル装置を付けたユーザの運動量に応じた認識率の低下を低減することができるようにする情報処理装置、および情報処理方法、並びにプログラムに関する。運動状態情報として加速度情報を取得し、移動速度を算出する。移動速度が所定速度を超えるとき、複数の情報を、認識率が低下しない所定数の情報量ずつ、時分割に表示することで、認識率の低下を抑制しつつ、複数の情報を表示する。本技術は、ウェアラブル装置に適用することができる。
2017057037.tif 000002
【特許請求の範囲】
【請求項１】
動作状態情報を取得する動作状態情報取得部と、
前記動作状態情報取得部によって取得される前記動作状態情報に基づいて、複数の表示モードから表示モードを設定する表示モード設定部とを備え、
前記複数の表示モードは、第１の情報と、前記第１の情報と異なる第２の情報とを同時に表示する第一の表示モードと、前記第１の情報と前記第２の情報とを異なるタイミングで表示する第二の表示モードとを含む
情報処理装置。
【請求項２】
前記複数の表示モードは、前記第１の情報と、前記第２の情報とを同時に表示する第一の表示モードと、前記第１の情報と、前記第２の情報とを、異なるタイミングで時間帯を分けて表示する第二の表示モードとを含む
請求項１に記載の情報処理装置。
【請求項３】
前記複数の表示モードは、前記第１の情報と、前記第２の情報とを同時に表示する第一の表示モードと、前記第１の情報を第１のタイミングで表示し、かつ、前記第２の情報を前記第１のタイミングと異なる第２のタイミングで表示する第二の表示モードとを含み、前記第１のタイミングと前記第２のタイミングとは、重複しない
請求項２に記載の情報処理装置。
【請求項４】
前記動作状態情報は、ユーザの運動強度を含む
請求項１に記載の情報処理装置。
【請求項５】
前記ユーザの運動強度は、前記ユーザの移動速度、振動、視線、心拍、体温、発汗、脳波、または筋電が測定されることにより特定される
請求項４に記載の情報処理装置。
【請求項６】
前記表示モード設定部は、前記運動強度が第１の所定の閾値よりも弱い場合、前記第１の情報と、前記第２の情報とを同時に表示する第一の表示モードに設定し、前記運動強度が第１の所定の閾値よりも強い場合、前記第１の情報と、前記第２の情報とを、異なるタイミングで時間帯を分けて表示する第二の表示モードに設定する
請求項１に記載の情報処理装置。
【請求項７】
前記表示モード設定部は、前記運動強度が前記第１の所定の閾値よりも強く、前記第１の情報と、前記第２の情報とを、異なるタイミングで時間帯を分けて表示する第二の表示モードに設定する場合、前記運動強度に応じて、前記第１の情報、および前記第２の情報を表示する表示時間を設定する
請求項６に記載の情報処理装置。
【請求項８】
前記表示モード設定部は、前記運動強度が前記第１の所定の閾値よりも強く、前記第１の情報と、前記第２の情報とを、異なるタイミングで時間帯を分けて表示する第二の表示モードに設定する場合、前記運動強度が第１の所定の閾値より強い第２の所定の閾値よりも弱いとき、前記所定数の情報ずつ、第１の表示時間だけ表示するように設定し、前記運動強度が前記第２の所定の閾値よりも強いとき、前記第１の情報および前記第２の情報を、第２の表示時間だけ表示するように設定する
請求項６に記載の情報処理装置。
【請求項９】
前記第１の表示時間は、前記第２の表示時間より短い
請求項８に記載の情報処理装置。
【請求項１０】
前記第１の表示時間は、前記第２の表示時間より長い
請求項８に記載の情報処理装置。
【請求項１１】
前記表示モード設定部は、前記運動強度が前記第１の所定の閾値よりも強く、前記第１の情報と、前記第２の情報とを、異なるタイミングで時間帯を分けて表示する第二の表示モードに設定する場合、前記運動強度が第１の所定の閾値より強い第２の所定の閾値よりも弱いとき、前記所定数の情報ずつ、第１の表示時間だけ表示するように設定し、前記運動強度が第１の所定の閾値より強い第２の所定の閾値よりも強いとき、前記第１の情報および前記第２の情報を、第２の表示時間だけ表示するように設定する
請求項４に記載の情報処理装置。
【請求項１２】
前記表示モード設定部は、表示すべき情報の重要度に応じて、前記第１の情報、および前記第２の情報を表示する表示時間を設定する
請求項１に記載の情報処理装置。
【請求項１３】
前記複数の表示モードは、ユーザの操作内容に基づいて、前記運動強度に応じて、前記第１の情報と、前記第２の情報とを同時に表示する第一の表示モード、および、前記第１の情報と前記第２の情報とを異なるタイミングで表示する第二の表示モードとを含む
請求項１に記載の情報処理装置。
【請求項１４】
前記表示モード設定部により設定された前記表示モードに応じて画像を生成する表示画像生成部をさらに備える
請求項１に記載の情報処理装置。
【請求項１５】
外界と同時に視認可能な画像を表示する表示部をさらに備え、
前記表示部は、前記表示画像生成部により前記表示モード設定部で設定された前記表示モードに応じて生成された画像を前記表示画像として表示する
請求項１４に記載の情報処理装置。
【請求項１６】
前記表示部は、光がユーザの瞳孔に向けて出射される領域の他の方向よりも長さが短い方向の長さが前記瞳孔の径の変動上限以下の長さである接眼光学系によって表示される前記表示画像の表示をさらに含む
請求項１に記載の情報処理装置。
【請求項１７】
前記表示モード設定部は、モバイル端末の表示を制御する
請求項１に記載の情報処理装置。
【請求項１８】
動作状態情報を取得し、
取得される前記動作状態情報に基づいて、複数の表示モードから表示モードを設定するステップを備え、
前記複数の表示モードは、第１の情報と、前記第１の情報と異なる第２の情報とを同時に表示する第一の表示モードと、前記第１の情報と前記第２の情報とを異なるタイミングで表示する第二の表示モードとを含む
情報処理方法。
【請求項１９】
動作状態情報を取得する動作状態情報取得部と、
前記動作状態情報取得部によって取得される前記動作状態情報に基づいて、複数の表示モードから表示モードを設定する表示モード設定部としてコンピュータを機能させ、
前記複数の表示モードは、第１の情報と、前記第１の情報と異なる第２の情報とを同時に表示する第一の表示モードと、前記第１の情報と前記第２の情報とを異なるタイミングで表示する第二の表示モードとを含む
プログラム。
【発明の詳細な説明】
【技術分野】
【０００１】
本技術は、情報処理装置、および情報処理方法、並びにプログラムに関し、特に、各種の情報を表示する眼鏡型のウェアラブル装置を装着した状態における運動中のユーザの視認性の低下を抑制させるようにした情報処理装置、および情報処理方法、並びにプログラムに関する。
【背景技術】
【０００２】
近年、頭部に装着される情報処理装置に関する技術開発が行われている。このような情報処理装置は、例えばＨＭＤ（Head-Mounted Display）に代表される、ウェアラブル装置を装着するユーザに様々な画像を表示する機能を有する。【０００３】
より具体的には、上述した情報処理装置として、例えば、行動情報を取得して、行動情報と対応する表示アイテムを設定し、重要度の高いものに切り替えて表示するものが提案されている（特許文献１参照）。【０００４】
また、上述した情報処理装置として、撮像された動画像を再生して表示するものも提案されている。この際、動画像の再生において、動画像の撮像位置に情報に基づいて、再生速度を編集し、編集された再生速度で撮像された動画像を再生するものも提案されている（特許文献２）。
【先行技術文献】
【特許文献】
【０００５】
【特許文献１】特開２０１４−０７１８１１号公報
【特許文献２】特開２０１５−１２８２０６号公報
【発明の概要】
【発明が解決しようとする課題】
【０００６】
しかしながら、ウェアラブル装置などのユーザにより装着される情報処理装置の場合、ユーザは、装着したままの状態で、様々な動作をしながら、表示される画像を視聴することになるが、表示される情報量が多い場合、上述した特許文献１，２で提案される技術では、視認性が低下し、ユーザに対して適切に情報を認識させることができない恐れがある。【０００７】
本技術は、このような状況に鑑みてなされたものであり、特に、ユーザに装着されるような情報処理装置において、様々な動作状況において、多くの情報が表示される場合でも、視認性の低下を抑制できるようにするものである。
【課題を解決するための手段】
【０００８】
本技術の一側面の情報処理装置は、動作状態情報を取得する動作状態情報取得部と、前記動作状態情報取得部によって取得される前記動作状態情報に基づいて、複数の表示モードから表示モードを設定する表示モード設定部とを備え、前記複数の表示モードは、第１の情報と、前記第１の情報と異なる第２の情報とを同時に表示する第一の表示モードと、前記第１の情報と前記第２の情報とを異なるタイミングで表示する第二の表示モードとを含む情報処理装置である。【０００９】
前記複数の表示モードには、前記第１の情報と、前記第２の情報とを同時に表示する第一の表示モードと、前記第１の情報と、前記第２の情報とを、異なるタイミングで時間帯を分けて表示する第二の表示モードとを含ませるようにすることができる。【００１０】
前記複数の表示モードには、前記第１の情報と、前記第２の情報とを同時に表示する第一の表示モードと、前記第１の情報を第１のタイミングで表示し、かつ、前記第２の情報を前記第１のタイミングと異なる第２のタイミングで表示する第二の表示モードとを含ませるようにすることができ、前記第１のタイミングと前記第２のタイミングとは、重複しない。【００１１】
前記動作状態情報には、ユーザの運動強度を含ませるようにすることができる。【００１２】
前記ユーザの運動強度は、前記ユーザの移動速度、振動、視線、心拍、体温、発汗、脳波、または筋電が測定されることにより特定されるようにすることができる。【００１３】
前記表示モード設定部には、前記運動強度が第１の所定の閾値よりも弱い場合、前記第１の情報と、前記第２の情報とを同時に表示する第一の表示モードに設定し、前記運動強度が第１の所定の閾値よりも強い場合、前記第１の情報と、前記第２の情報とを、異なるタイミングで時間帯を分けて表示する第二の表示モードに設定させるようにすることができる。【００１４】
前記表示モード設定部には、前記運動強度が前記第１の所定の閾値よりも強く、前記第１の情報と、前記第２の情報とを、異なるタイミングで時間帯を分けて表示する第二の表示モードに設定する場合、前記運動強度に応じて、前記第１の情報、および前記第２の情報を表示する表示時間を設定させるようにすることができる。【００１５】
前記表示モード設定部には、前記運動強度が前記第１の所定の閾値よりも強く、前記第１の情報と、前記第２の情報とを、異なるタイミングで時間帯を分けて表示する第二の表示モードに設定する場合、前記運動強度が第１の所定の閾値より強い第２の所定の閾値よりも弱いとき、前記所定数の情報ずつ、第１の表示時間だけ表示するように設定させ、前記運動強度が前記第２の所定の閾値よりも強いとき、前記第１の情報および前記第２の情報を、第２の表示時間だけ表示するように設定させるようにすることができる。【００１６】
前記第１の表示時間は、前記第２の表示時間より短くすることができる。【００１７】
前記第１の表示時間は、前記第２の表示時間より長くすることができる。【００１８】
前記表示モード設定部には、前記運動強度が前記第１の所定の閾値よりも強く、前記第１の情報と、前記第２の情報とを、異なるタイミングで時間帯を分けて表示する第二の表示モードに設定する場合、前記運動強度が第１の所定の閾値より強い第２の所定の閾値よりも弱いとき、前記所定数の情報ずつ、第１の表示時間だけ表示するように設定させ、前記運動強度が第１の所定の閾値より強い第２の所定の閾値よりも強いとき、前記第１の情報および前記第２の情報を、第２の表示時間だけ表示するように設定させるようにすることができる。【００１９】
前記表示モード設定部には、表示すべき情報の重要度に応じて、前記第１の情報、および前記第２の情報を表示する表示時間を設定させるようにすることができる。【００２０】
前記複数の表示モードには、ユーザの操作内容に基づいて、前記運動強度に応じて、前記第１の情報と、前記第２の情報とを同時に表示する第一の表示モード、および、前記第１の情報と前記第２の情報とを異なるタイミングで表示する第二の表示モードを含ませるようにすることができる。【００２１】
前記表示モード設定部により設定された前記表示モードに応じて画像を生成する表示画像生成部をさらに設けるようにさせることができる。【００２２】
外界と同時に視認可能な画像を表示する表示部をさらに設けるようにさせることができ、前記表示部には、前記表示画像生成部により前記表示モード設定部で設定された前記表示モードに応じて生成された画像を前記表示画像として表示させるようにすることができる。【００２３】
前記表示部には、光がユーザの瞳孔に向けて出射される領域の他の方向よりも長さが短い方向の長さが前記瞳孔の径の変動上限以下の長さである接眼光学系によって表示される前記表示画像の表示をさらに含ませるようにすることができる。【００２４】
前記表示モード設定部には、モバイル端末の表示を制御させるようにすることができる。【００２５】
本技術の一側面の情報処理方法は、動作状態情報を取得し、取得される前記動作状態情報に基づいて、複数の表示モードから表示モードを設定するステップを備え、前記複数の表示モードは、第１の情報と、前記第１の情報と異なる第２の情報とを同時に表示する第一の表示モードと、前記第１の情報と前記第２の情報とを異なるタイミングで表示する第二の表示モードとを含む。【００２６】
本技術の一側面のプログラムは、動作状態情報を取得する動作状態情報取得部と、前記動作状態情報取得部によって取得される前記動作状態情報に基づいて、複数の表示モードから表示モードを設定する表示モード設定部とを含み、前記複数の表示モードは、第１の情報と、前記第１の情報と異なる第２の情報とを同時に表示する第一の表示モードと、前記第１の情報と前記第２の情報とを異なるタイミングで表示する第二の表示モードとを含むプログラムである。【００２７】
本技術の一側面においては、動作状態情報が取得され、取得される前記動作状態情報に基づいて、複数の表示モードから表示モードが設定され、前記複数の表示モードは、第１の情報と、前記第１の情報と異なる第２の情報とを同時に表示する第一の表示モードと、前記第１の情報と前記第２の情報とを異なるタイミングで表示する第二の表示モードとが含まれる。【００２８】
本技術の一側面の情報処理装置は、それぞれ独立した装置であっても良いし、情報処理装置として機能するブロックであっても良い。
【発明の効果】
【００２９】
本技術の一側面によれば、ユーザに装着されるような情報処理装置において、様々な動作状況においても視認性の低下を抑制することが可能となる。
【図面の簡単な説明】
【００３０】
【図１】本技術を適用した情報処理装置の外観を説明する図である。
【図２】図１の情報処理装置の導光部の構成例を示す斜視図である。
【図３】図１の情報処理装置の導光部の構成例を示す断面図である。
【図４】図１の情報処理装置がユーザに装着された状態の例を示す図である。
【図５】図１の情報処理装置により実現される機能の第１の実施の形態を説明するブロック図である。
【図６】図１の情報処理装置を装着したユーザが視聴する際の手順を説明する図である。
【図７】図１の情報処理装置により情報が表示されるときのレイアウトと、動作状態とに応じた認識率の関係を説明する図である。
【図８】同時表示モードと時分割表示モードを説明する図である。
【図９】図５の情報処理装置による表示制御処理を説明するフローチャートである。
【図１０】図５の情報処理装置による表示制御処理により表示される表示画像におけるランニングするときに使用されるアプリケーションによる表示例である。
【図１１】図５の情報処理装置による表示制御処理により表示される表示画像における自転車に乗るときに使用されるアプリケーションによる表示例である。
【図１２】図５の情報処理装置による表示制御処理により表示される表示画像におけるテニスをするときに使用されるアプリケーションによる表示例である。
【図１３】図５の情報処理装置による表示制御処理により表示される表示画像におけるゴルフをするときに使用されるアプリケーションによる表示例である。
【図１４】図１の情報処理装置により情報が表示されるときのレイアウトと、ラベルや単位の省略の有無とによる認識率との関係を説明する図である。
【図１５】図１の情報処理装置により実現される機能の第２の実施の形態を説明するブロック図である。
【図１６】図１５の情報処理装置による表示制御処理を説明するフローチャートである。
【図１７】図１５の情報処理装置による表示制御処理を説明するフローチャートである。
【図１８】図１５の情報処理装置による表示制御処理により表示される表示画像における表示例である。
【図１９】図１５の情報処理装置による表示制御処理により表示される表示画像におけるランニングするときに使用されるアプリケーションによる表示例である。
【図２０】図１５の情報処理装置による表示制御処理により表示される表示画像における自転車に乗るときに使用されるアプリケーションによる表示例である。
【図２１】図１５の情報処理装置による表示制御処理により表示される表示画像におけるテニスをするときに使用されるアプリケーションによる表示例である。
【図２２】図１５の情報処理装置による表示制御処理により表示される表示画像におけるゴルフをするときに使用されるアプリケーションによる表示例である。
【図２３】図１の情報処理装置により表示されるグラフィックの例を説明する図である。
【図２４】図２３のグラフィックの例における静止時と運動時との認識率の違いを説明する図である。
【図２５】図２３のグラフィックの例における静止時と運動時との認識率の違いを説明する図である。
【図２６】図１の情報処理装置により実現される機能の第３の実施の形態を説明するブロック図である。
【図２７】図２６の情報処理装置による表示制御処理を説明するフローチャートである。
【図２８】図２６の情報処理装置による表示制御処理を説明するフローチャートである。
【図２９】図２６の情報処理装置による表示制御処理を説明するフローチャートである。
【図３０】図２６の情報処理装置による表示制御処理を説明するフローチャートである。
【図３１】第１の実施の形態乃至第３の実施の形態の他の機能構成例を示すブロック図である。
【図３２】第１の実施の形態乃至第３の実施の形態のさらに他の機能構成例を示すブロック図である。
【図３３】汎用のパーソナルコンピュータの構成例を説明する図である。
【発明を実施するための最良の形態】
【００３１】
＜第１の実施の形態＞
まず、図１を参照して、本技術の第１の実施の形態に係る情報処理装置の概要について説明する。【００３２】
図１は、本技術の第１の実施の形態に係る情報処理装置の外観図である。【００３３】
情報処理装置３１は、画像表示機能を備え、人体の頭部に装着される。具体的には、情報処理装置３１は、画像表示機能として、レンズを通して直接的に画像光をユーザの目に向かって射出し、結像される虚像が画像としてユーザに認識される、いわゆる、HMD（Head-Mounted Display）として機能するウェアラブル装置である。さらに、情報処理装置３１がユーザに装着される場合にユーザの眼前に位置する画像光を射出する接眼光学系は、人間の平均的な瞳孔径よりも小さい。このため、情報処理装置３１を装着するユーザの瞳孔には、画像光のみならず外光も入射されることにより、画像および外界の両方がユーザの視界に入ることになる。【００３４】
例えば、図１で示されるように、情報処理装置３１は、本体部４１、アーム４２、および画像光を射出する接眼窓を有する導光反射部４３で構成される。そして、導光反射部４３は、接眼光学系として、導光反射部４３における、光がユーザの瞳孔に向けて射出される領域の他の方向よりも長さが短い方向の長さ（以下、短手方向の幅の長さとも称する。）が瞳孔径よりも細くなるように設けられる。なお、情報処理装置３１は、眼鏡１１等に取り付けられ得る。【００３５】
本体部４１は、アーム４２および眼鏡１１と接続される。具体的には、本体部４１の長辺方向の端部はアーム４２と結合され、本体部４１の側面の一側は接続部材を介して眼鏡１１と連結される。なお、本体部４１は、直接的に人体の頭部に装着されてもよい。【００３６】
また、本体部４１は、情報処理装置３１の動作を制御するための制御基板を内蔵する。具体的には、本体部４１は、ＣＰＵ（Central Processing Unit）、およびＲＡＭ（Random Access Memory）等を有する制御基板を有し、信号線等を用いてアーム４２を介して導光反射部４３と接続される。【００３７】
アーム４２は、本体部４１と導光反射部４３とを接続させ、導光反射部４３を支える。具体的には、アーム４２は、本体部４１の端部および導光反射部４３の端部とそれぞれ結合され、導光反射部４３を固定する。また、アーム４２は、本体部４１から導光反射部４３に提供される画像に係るデータを通信するための信号線を内蔵する。【００３８】
導光反射部４３は、画像光を情報処理装置３１の外部に投射する。具体的には、導光反射部４３は、本体部４１からアーム４２を経由して提供される画像光を、接眼レンズ６１（図２）を通じて情報処理装置３１の外部、すなわち情報処理装置３１を装着するユーザの目に向かって投射する。【００３９】
また、本体部４１は、図中の上面部にタッチセンサからなる操作部４１ａが設けられており、図中の実線の矢印方向にスワイプする、または、点線の矢印方向にタップするといった操作入力を受け付け、対応する操作信号を発生する。【００４０】
尚、操作部４１ａの構成は、上述したようなスワイプ、またはタップといったタッチ操作する構成のみならず、操作入力を受け付けられるものであれば、他の構成であってもよく、例えば、物理的に構成された操作ボタンなどにより接触することで入力操作を受け付けるものであってもよいし、非接触に操作入力を受け付けられる構成であってもよく、例えば、IR（赤外線）通信式、静電容量検出センサ（近接検出センサ）、カメラ（イメージセンサ）、またはフォトダイオードでもよく、これら全て、または、その一部を組み合わせるような構成でもよい。【００４１】
また、本体４１におけるアーム４２が接続された端部には、ユーザの周辺環境を撮像することができる外向きカメラ４２ｂが設けられており、この外向きカメラ４２ｂにより撮像される画像を導光反射部４３により瞳孔に向けて射出して投影するようにしてもよいし、撮像された画像を利用して、ユーザ周辺環境における物体の検出や、その物体の位置および姿勢を検出するようにしてもよい。【００４２】
引き続き、図２乃至図４を参照して、導光反射部４３の構成例について詳細に説明する。図２は、本実施の形態に係る情報処理装置３１における導光反射部４３の概略的な構成例を示す斜視図であり、図３は、本実施の形態に係る情報処理装置３１における導光反射部４３の概略的な構成例を示す断面図である。また、図４は、本実施の形態に係る情報処理装置３１の導光反射部４３がユーザに装着された状態の例を示す図である。【００４３】
導光反射部４３は、接眼光学系として、図２および図３で示されるように、投射部７１、導光部５１、反射部７２、接眼レンズ６１、および撮像部７３で構成される。【００４４】
投射部７１は、画像光を導光部５１に向かって射出する。例えば、投射部７１は、図３で示されるような本体部４１から提供される画像を表示する表示パネルであり、画像の表示によって画像光を導光部５１に向けて射出する。【００４５】
導光部５１は、入射される画像光を反射部７２に誘導する。例えば、導光部５１は、図２で示されるような柱状の部材であり、図３で示されるように、投射部７１から投射される画像光が反射部７２に到達するように画像光を誘導する。なお、導光部５１は、内部が中空である筒状の部材であってもよく、画像光を透過させる透明な部材であってもよい。【００４６】
反射部７２は、到達する画像光を接眼レンズ６１に向けて反射させる。例えば、反射部７２は、図３で示されるように、導光部５１によって誘導された画像光を接眼レンズ６１の位置に向かうように反射させる。【００４７】
接眼レンズ６１は、画像を拡大させる。具体的には、接眼レンズ６１は、反射部７２によって反射された画像光を屈折させ、画像光に係る画像を拡大する。【００４８】
また、導光反射部４３は、光がユーザの瞳孔に向けて射出される領域の他の方向よりも長さが短い方向の長さが瞳孔の径の変動上限以下の長さであるように形成される。具体的には、導光反射部４３は、導光反射部４３の短手方向の幅の長さが平均的な瞳孔径以下になるように形成される。例えば、導光反射部４３は、図４で示されるように、導光反射部４３の短手方向の幅の長さＬ２が平均的な瞳孔径Ｌ１以下になるように形成される。なお、ヒトの瞳孔径Ｌ１は概して２乃至８ｍｍ程度の範囲で変動するため、Ｌ２は８ｍｍ以下、例えば４ｍｍ程度で構成される。また、導光反射部４３、すなわち光が射出される領域の形状は、矩形のほか、円形、楕円形または他の多角形とするようにしてもよい。【００４９】
撮像部７３は、ユーザの視線方向を認識するため、ユーザの目の、特に、瞳の位置を撮像し、撮像した画像を情報処理装置３１に供給する。【００５０】
尚、図１においては、情報処理装置３１は、ユーザの瞳の一部の領域に導光反射部４３より投射することで表示される画像（以下、表示画像とも称する）を視聴させると共に、それ以外の領域で外界を視聴できるような方式（以下、瞳分割方式とも称する）である。【００５１】
しかしながら、情報処理装置３１は、ユーザに対して、外界と表示画像とを同時に視聴可能な構成であれば、瞳分割方式でなくてもよく、例えば、眼鏡のレンズ部の一部の領域に表示画像を表示させ、それ以外の領域から外界の光を透過できるようにすることで外界を視聴できるようにする方式（透過方式）であってもよいし、外界の画像の一部に表示画像して、目の全面を覆うように設けられたディスプレイ上に表示する方式（ビデオシースルー方式）であってもよいものである。【００５２】
＜図１の情報処理装置により実現される機能の構成例＞
次に、図５を参照して、本実施の形態に係る情報処理装置３１の機能の構成例について説明する。図５は、本実施形態に係る情報処理装置３１により実現される機能を説明するためのブロック図である。【００５３】
情報処理装置３１は、図５で示されるように、動作状態情報取得部１０１、表示制御部１０２、表示部１０３、操作部１０４、記憶部１０５、および視線検出部１０６を備える。【００５４】
動作状態情報取得部１０１は、ユーザの動作状態を示す動作状態情報を取得する。具体的には、動作状態情報とは、ユーザの視線を変化させる人間の動作状態の激しさを示す運動強度を含む。【００５５】
ここで、運動強度は、例えば、ユーザの移動速度（所定方向の加速度、速度、または、時系列の位置情報から得られる加速度を用いて算出される速度を含む）、振動（振幅や周期を含む）、並びに、視線、心拍数、体温、発汗量、脳波、または筋電等といった生体センシング結果である。【００５６】
より詳細には、運動強度が強いとは、人間の動作状態の激しさが強い（高い）ことを示しており、例えば、ユーザの移動速度が速く、振動する回数が高く、心拍数が高く、体温が高く、または発汗量が多いといった状態を示している。逆に、運動強度が弱いとは、人間の動作状態の激しさが弱い（低い）ことを示しており、例えば、ユーザの移動速度が遅く、振動する回数が低く、心拍数が低く、体温が低く、または発汗量が少ないといった状態である。【００５７】
また、動作状態情報取得部１０１は、この運動強度である動作状態情報に基づいて、ユーザの行動を認識できるようにしてもよい。具体的には、動作状態情報取得部１０１は、運動強度を含む動作状態情報に基づいて、ユーザが歩く、走る、またはエレベータに乗るといった具体的な運動状態を認識できるようにしてもよい。【００５８】
また、動作状態情報取得部１０１は、操作部１０４の操作内容に応じて、ユーザが手動設定した内容を取得する。より具体的には、動作状態情報取得部１０１は、操作部１０４の操作内容に応じて、コンテンツ情報として、テニス、ランニング、または転車のアプリケーションのいずれの種別のアプリケーションを選択したのかを認識することができる。例えば、Bluetooth(登録商標)などの通信機器（図示せず）を備えるようにして、この通信機器と、靴などに設けられる、例えば、位置情報検出センサ、加速度センサ、または振動センサ等のセンサとの通信が可能になった場合、動作状態情報取得部１０１は、アプリケーションの種別がランニングに対応したものであることを認識するようにしてもよい。【００５９】
尚、以降の説明においては、動作状態情報は、ユーザの動作状態に係る運動の激しさを示す、運動強度であるものとして説明を進めるものとする。すなわち、動作状態情報取得部１０１は、運動強度として情報処理装置３１の移動速度を取得し、取得した移動速度を表示制御部１０２に供給するものとする。また、運動強度としては、加速度を取得し、取得した加速度から移動速度を求めるようにしても良い。【００６０】
操作部１０４は、操作部４１ａより供給されてくる操作信号を受け付けると、操作内容を認識し、認識した操作内容の情報を表示制御部１０２に供給する。【００６１】
記憶部１０５は、アプリケーションで表示すべき画像のフォーマットとなる情報を記憶する。表示制御部１０２は、記憶部１０５に記憶されている画像のフォーマットを読み出し、アプリケーションに応じた情報を付加するなどして加工し、表示部１０３に出力して表示させる。【００６２】
視線検出部１０６は、撮像部７３より供給されてくる瞳の画像に基づいて、ユーザの視線方向を認識し、認識した視線方向の情報を表示制御部１０２に供給する。【００６３】
表示制御部１０２は、動作状態情報取得部１０１より供給されてくる動作状態情報、操作部１０４より供給されてくる操作内容、視線検出部１０６より供給されてくる視線方向、および記憶部１０５に記憶されているアプリケーション毎に設定されているフォーマットとなる画像に基づいて、表示すべき表示画像を生成し、表示部１０３に出力して表示させることで、表示部１０３の表示を制御する。【００６４】
より具体的には、表示制御部１０２は、モード判定部１０２ａ、および表示画像生成部１０２ｂを備えている。モード判定部１０２ａは、動作状態情報である運動強度に基づいて、表示画像における表示モードを判定し設定する。また、モード判定部１０２ａは、動作状態情報に基づいて、ユーザの動作内容、例えば、歩いている、走っている、テニスをしている、ゴルフをしているといった動作を認識し、認識した動作内容に応じて表示画像の表示モードを判定するようにしてもよい。表示画像生成部１０２ｂは、モード判定部１０２ａにより設定された表示モードに対応する表示画像を生成し、表示部１０３に表示する。尚、表示モードについては、詳細を後述する。【００６５】
表示画像生成部１０２ｂは、操作内容に基づいて、ユーザの表示に係る指示を認識し、認識した指示内容に応じて表示画像を制御する。【００６６】
表示画像生成部１０２ｂは、視線方向を認識し、例えば、表示部１０３に表示画像として表示される情報のいずれの情報に注目しているのかを認識し、認識した注目している情報に基づいて、表示画像を制御する。【００６７】
表示部１０３は、表示制御部１０２の指示に基づいて画像を表示する。具体的には、表示部１０３は、投射部７１として、表示制御部１０２によって表示するように指示された表示画像に係る画像光を投射し、ユーザの網膜上に画像を結像させる。【００６８】
表示画像生成部１０２ｂは、直前に表示した表示画像に応じて、次に表示すべき表示画像を制御する。【００６９】
＜図１の情報処理装置により表示される画像の認識手順＞
上述した図１の情報処理装置３１をウェアラブル装置として装着したユーザが、情報処理装置３１により表示される画像を認識するまでの認識手順について説明する。【００７０】
状態Ｓｔ１において、情報処理装置３１を装着したユーザは、図６の点線で示されるような視線方向に対して、情報処理装置３１により表示画像が表示される画像表示領域Ｐが存在せず、外界に視線が向けられているものとする。尚、図６においては、情報処理装置３１を装着したユーザを上方からの視点で描いたものであり、点線で示される矢印が視線方向を示しており、画像表示領域Ｐが情報処理装置３１により射出された画像光によりユーザに視聴される虚像からなる画像を示している。【００７１】
そして、何らかの動機により、状態Ｓｔ１から状態Ｓｔ２に遷移し、ユーザが視線を画像表示領域Ｐ方向に向ける。このとき、まだ、ユーザの目は、画像表示領域Ｐに焦点が合っておらず、画像表示領域Ｐ上の情報を認識することができない。【００７２】
状態Ｓｔ２において、ユーザが視線方向に焦点を合わせることにより、状態Ｓｔ３で示されるように、焦点が画像表示領域Ｐに合ったとき、ユーザは、画像表示領域Ｐを認識することができる。【００７３】
さらに、画像表示領域Ｐを認識した後、Ｓｔ４において、画像表示領域Ｐに表示されている情報を認識する。【００７４】
ユーザは、図６を参照して説明した状態Ｓｔ１乃至Ｓｔ４の４段のステップにより情報処理装置３１により射出される画像表示領域Ｐを認識する。つまり、情報処理装置３１を装着したユーザは、通常、状態Ｓｔ１で外界を視認するという行為と、状態Ｓｔ４により画像表示領域Ｐを認識するという行為とを状況に応じて切り替えていると言える。【００７５】
ここで、ユーザは、情報処理装置３１を装着した状態において、外界の情報を視認しながら、画像表示領域Ｐの情報を必要に応じて視認することになるが、歩行する、または、走るといった行動を伴った状態で画像表示領域Ｐを視認しようとするときには、歩行する、または、走るといった行動において必要な外界の視認による認識率を低下させて、画像表示領域Ｐを視認し、情報を読み取るといったことになる。【００７６】
このため、ユーザは、歩行する、または、走るといった行動と、その周囲の環境に応じて、場合によっては、極短時間で画像表示領域Ｐを視認して、表示されている情報を認識し読み取る必要がある。すなわち、画像表示領域Ｐに表示される情報は、極短時間でも認識し易いものとする必要があり、このようにすることで、運動に伴った認識率の低下を抑制することができる。【００７７】
＜運動中における情報処理装置により表示される画像の情報の認識率＞
情報処理装置３１を装着したユーザによる、運動中の情報処理装置３１により射出される画像表示領域Ｐの情報の認識率を、運動の大きさ、情報数、およびレイアウトを変えて比較したものが図７に示されている。【００７８】
尚、画像表示領域とは、導光反射部４３により瞳に投射されることで、外界の視界と共に視認可能に表示画像が表示される領域であるが、以降においては、単に、画像表示領域といった場合、表示画像が表示されたときの画像表示領域の表示状態をも示すものとする。【００７９】
図７においては、画像表示領域Ｐに表示される表示画像には、現在時刻、移動距離、1km当たりの平均時間、および心拍数の最大４種類の情報が含まれ、表示画像内に少なくとも４種類のうちの１種類を表示するものとして、レイアウトをＩＤ１乃至ＩＤ８の８種類としたときの認識率が比較されている。【００８０】
より詳細には、レイアウトＩＤ１は、水平方向、および垂直方向に対して中央に現在時刻が表示されるものである。【００８１】
レイアウトＩＤ２は、垂直方向に対して中央の位置に、水平方向に左から現在時刻と移動距離とが並べて配置されて表示されるものである。【００８２】
レイアウトＩＤ３は、水平方向に対して中央の位置に、垂直方向に上から現在時刻と移動距離とが並べて配置されて表示されるものである。【００８３】
レイアウトＩＤ４は、水平方向に対して中央の位置に、垂直方向に上から移動距離、現在時刻、および1km当たりの平均時間が並べて配置されて表示されるものである。【００８４】
レイアウトＩＤ５は、水平方向に対して左側であって、垂直方向に中央の位置に、現在時刻が表示され、水平方向に右側であって、垂直方向に上から移動距離、および1km当たりの平均時間が並べて配置されて表示されるものである。【００８５】
レイアウトＩＤ６は、垂直方向の上段であって、水平方向の中央に現在時刻が表示され、垂直方向の下段であって、水平方向に左から移動距離、および1km当たりの平均時間が並べて表示されている。【００８６】
レイアウトＩＤ７は、垂直方向の上段であって、水平方向の中央に現在時刻が表示され、垂直方向の下段であって、水平方向に左から移動距離、1km当たりの平均時間、および心拍数が並べて表示されている。【００８７】
レイアウトＩＤ８は、垂直方向の上段であって、水平方向に左から現在時刻、および移動距離が表示され、垂直方向の下段であって、水平方向に左から1km当たりの平均時間、および心拍数が並べて表示されている。【００８８】
また、図７においては、レイアウトＩＤ１乃至ＩＤ８のそれぞれについて、運動量が、歩行状態（walk）、ゆっくり走る（slow run）、速く走る（fast run）の3種類に変化したときの認識率が左から棒グラフ状に示されている。【００８９】
図７で示されるように、情報の数が２種類である、レイアウトＩＤ１乃至ＩＤ３の種類については、運動量に変化なく良好な認識率が確保されている。【００９０】
また、レイアウトＩＤ４乃至ＩＤ８で示されるように、情報の数が３種類以上になると、認識率の低下が目立つようになり、全体的な傾向として、運動量が大きくなるにつれて認識率が低下する。【００９１】
さらに、レイアウトＩＤ６，ＩＤ７で示されるように、垂直方向に並べて表示される情報の数、および水平方向に並べて表示される情報の数が３種類になると、認識率の低下が目立ち、特に、速く走っているときには大きく認識率が低下することがわかる。【００９２】
以上のことから、運動量に依らず、良好な認識率を確保するには、画像表示領域Ｐに同時に表示する情報は、２種類以内とするのが妥当ということが考えられる。【００９３】
ただし、この例においては、テキスト情報の水平方向、および垂直方向の配置を比較したものでしかないため、必ずしも情報量が２種類でなければならないわけではない。【００９４】
例えば、色の変化を加えるなどすることで改善される可能性はある。また、提示する情報がテキストではなく、例えば、何らかのグラフィック画像であったり、アイコンなどのようなものである場合については、認識率が改善される可能性はある。【００９５】
しかしながら、いずれにおいても、表示する必要があると考えられる情報については、レイアウトや色を変化させるなどして、１度に表示できる情報のうち、同時に認識が可能な数を実験などにより求めて、制限する必要があると考えられる。【００９６】
以降においては、図７の４種類のテキストからなる情報を表示する場合については、原則として１度に表示するのは２種類までの情報とし、これを情報の種別を順次時分割に切り替えて表示することで、運動時の認識率の低下を抑制できるものとして説明を進めるものとする。ただし、情報の種別や表示の仕方に応じて、その他の数ずつ情報を提示するようにしても、運動時の認識率の低下は抑制することができる。【００９７】
＜図５の情報処理装置による表示制御処理＞
そこで、本技術を適用した情報処理装置３１においては、画像表示領域Ｐに表示される１枚の表示画像内において同時に表示する情報を、例えば、２種類までとし、それ以上の数の情報を表示する必要がある場合については、１枚の表示画像に含まれる情報の数を所定の数ずつ、複数の表示画像に分けて、表示タイミングをずらすようにして表示する（時分割表示する）。すなわち、所定の数ずつ、時間の経過に伴って、切り替えて順次表示する。【００９８】
以降においては、１枚の表示画像で、複数の情報を同時に表示する表示モードを同時表示モードと称するものとし、複数の情報を、所定数に分けて、複数の表示画像で、表示タイミングをずらすようにして表示する（時分割表示する）表示モードを時分割表示モードと称するものとする。【００９９】
すなわち、例えば、「移動距離」、「現在時刻」、および「1km当たりの平均時間」などの３種類の情報が全情報である場合、同時表示モードのときについては、図８の左部の画像表示領域ＰＡで示されるように、「移動距離」、「現在時刻」、および「1km当たりの平均時間」の３種類が、１枚の表示画像に含まれて、それぞれ、「3.2km」、「15:01」、および「6'05''/km」として同時に表示され、時間の経過に伴って、変化した情報が表示された表示画像が、順次、１枚ずつ、切り替えて表示される（時系列に表示される）表示モードである。つまり、同時表示モードの場合、この３種類の情報が同時に表示された表示画像が、時間の経過に伴って情報を変化させながら順次、表示される。【０１００】
また、一方、「移動距離」、「現在時刻」、および「1km当たりの平均時間」といった３種類の情報を同時表示モードではなく、時分割表示モードで表示するときについては、時間が時刻ｔ１，ｔ２，ｔ３・・・と経過するとき、最初のタイミングである時刻ｔ１では、図８の右部の画像表示領域Ｐａの表示画像で示されるように、「移動距離」として「3.2km」が表示され、その次のタイミングである時刻ｔ２では、画像表示領域Ｐｂの表示画像で示されるように「現在時刻」として「15:01」が表示され、さらに、その次のタイミングである時刻ｔ３では、画像表示領域Ｐｃの表示画像で示されるように「1km当たりの平均時間」として「6'05''/km」が、時間の経過に伴って順番に表示される（時分割で表示される）。つまり、時分割表示モードの場合、画像表示領域Ｐａ，Ｐｂ，Ｐｃの３種類の表示画像が、タイミングをずらして表示され、さらに、時間の経過に伴って変化する情報が、３枚ずつ繰り返し表示される（時分割に、かつ、時系列に表示される）。【０１０１】
換言すれば、時分割表示モードの場合、画像表示領域Ｐａ，Ｐｂ，Ｐｃの３種類の表示画像のうち、表示されるべき表示画像が、タイミングをずらして切り替えて設定され、各タイミングにおいて、表示されるべき情報の表示画像が表示され、かつ、表示されるべき情報の表示画像以外の表示画像が表示されない。さらに、画像表示領域Ｐａ，Ｐｂ，Ｐｃの３種類の表示画像を単位として、時間の経過に伴って切り替えて（時系列に）表示する。【０１０２】
つまり、画像表示領域Ｐａ，Ｐｂ，Ｐｃに表示される表示画像が、第１の表示画像乃至第３の表示画像であり、時間方向に変化するタイミングを時刻ｔ１１，ｔ１２，ｔ１３とする場合、時分割表示モードでは、例えば、時刻ｔ１１のタイミングにおいては、第１の表示画像が表示されるべき表示画像として設定されると、第１の表示画像が表示されて、かつ、第２および第３の表示画像が表示されない状態となる。次に、時刻ｔ１２のタイミングにおいて、第２の表示画像が表示されるべき表示画像として設定されると、第２の表示画像が表示されて、第１および第３の表示画像が表示されない状態となる。さらに、時刻ｔ１３のタイミングにおいて、第３の表示画像が表示されるべき表示画像として設定されると、第３の表示画像が表示されて、第１および第２の表示画像が表示されない。そして、この時刻ｔ１１乃至ｔ１３の動作が、時間の経過に伴って繰り返されることにより、時系列に、３種類の表示画像が表示されることになる。【０１０３】
尚、３種類の表示画像については、第１の画像、第２の画像、第３の画像である場合、第１の画像、第２の画像、第３の画像、第１の画像、第２の画像、第３の画像・・・のように、３枚の画像が１回ずつ、決まった順序で「第１の画像、第２の画像、第３の画像」を単位として繰り返し表示されるのみならず、３種類の表示画像が利用される限り、繰り返される単位内で２回以上されるようにしてもよい。例えば、第１の画像、第２の画像、第３の画像、第２の画像、第３の画像、第１の画像、第２の画像、第３の画像、第２の画像、第３の画像、・・・といったように「第１の画像、第２の画像、第３の画像、第２の画像、第３の画像」を単位として繰り返し表示されるようにしてもよい。【０１０４】
このような処理により、画像表示領域に表示される１枚の表示画像で表示される情報の数を制限することで、認識率を保証しつつ、制限した数より多くの数の情報を表示する場合には、複数の表示画像に分けて、かつ、タイミングをずらして（異なるタイミングで）表示する（時分割に表示する）ことで、運動時の認識率の低下を抑制することが可能となる。【０１０５】
すなわち、図５の情報処理装置３１は、２種類までの情報については、１枚の表示画像で同時に表示する同時表示モードとし、それ以上の情報については、時分割表示モードとし、順次、全情報を、１枚の表示画像で認識が可能な数よりも少ない情報に分割し、分割された数の情報が表示された、複数の表示画像を、異なるタイミングで（タイミングをずらして）切り替えて表示する表示制御処理を実行する。そこで、ここでは、この図５の情報処理装置３１による表示制御処理について、図９のフローチャートを参照して説明する。【０１０６】
また、この実施例においては、同時表示モードで同時に表示する情報を２種類までとし、それよりも多い種類の情報については、時分割表示モードで１種類ずつ情報を表示する例について説明するものとするが、同時に認識できる情報が、２種類以上の所定数である場合については、同時表示モードでは、同時に認識可能な所定数の情報を、１枚の表示画像に同時に表示して、時間の経過に伴って切り替えて表示する（表示画像を１枚ずつ時系列に表示する）ようにしてもよい。【０１０７】
一方、情報の数が同時に認識可能な所定数を超える場合については、時分割表示モードでは、同時に認識可能な数か、または、その数よりも少ない数に分けられた情報が表示された複数の表示画像を、タイミングをずらして表示して、複数の表示画像の単位で、時間の経過に伴って切り替えながら表示する（複数の表示画像を時分割で、かつ、時系列に表示する）ようにしてもよい。【０１０８】
すなわち、ステップＳ１１において、表示制御部１０２のモード判定部１０２ａは、画像表示領域Ｐとして表示部１０３に時系列に表示すべき画像の順序をカウントするためのカウンタｎを初期化する。【０１０９】
ステップＳ１２において、モード判定部１０２ａは、動作状態情報取得部１０１を制御して、例えば、動作状態情報、すなわち、運動強度として速度の情報を取得させ、情報処理装置３１を装着したユーザの移動速度を取得し、移動速度が、所定の速度ｖ０よりも大きいか否かを判定する。【０１１０】
ここで、速度ｖ０は、例えば、停止した状態を示す速度０であるか、限りなく速度０に近い停止した状態に近い状態の速度であるものとする。すなわち、ステップＳ１２においては、ユーザの移動速度が速度０、すなわち、ユーザの運動強度が完全に０であるか否かが判定される。【０１１１】
運動強度は、上述したように、ユーザの動作の激しさを示すものであり、この例では、動作状態情報として速度を用いているので、速度が速い程、運動強度は強い（高い）ものであり、このとき、１枚の画像表示領域を目視した際のユーザが同時に認識できる情報量は低下し、認識率は低下する。逆に動作状態情報である速度が遅い程、運動強度は弱い（低い）ものであり、１枚の画像表示領域を目視した際のユーザが同時に認識できる情報量は増大し、認識率は高くなる。【０１１２】
また、動作状態情報として、振動量、運動量、または心拍数などを利用する場合については、振動が激しい程、運動量が大きい程、および心拍数が高い程、運動強度は強く、認識率が低下する。逆に、動作状態情報である振動が小さい程、運動量が小さい程、および心拍数が低いほど、運動強度は弱く、認識率が高くなる。【０１１３】
したがって、運動強度は、動作状態情報に応じて設定され、運動強度に応じて、認識率が変化するので、同時表示モード、または、時分割表示モードといった表示モードが、動作状態情報に応じて、すなわち、運動強度に応じて切り替えられることになる。【０１１４】
ステップＳ１２において、例えば、ユーザの現在の移動速度が、速度ｖ０よりも小さく、停止している状態であるとみなされた場合、すなわち、運動強度が０ではない場合、処理は、ステップＳ１６に進む。【０１１５】
ステップＳ１６において、モード判定部１０２ａは、表示モードを同時表示モードに設定し、表示画像生成部１０２ｂに供給する。【０１１６】
ステップＳ１７において、表示画像生成部１０２ｂは、表示可能な情報を全て同時に表示する表示画像を生成して、表示部１０３を制御して表示させる。すなわち、この場合、ユーザは、動作状態情報に基づいた運動強度が弱く、ほとんど動作していない状態、すなわち、例えば、立ち止まった状態であるものとみなして、多くの情報を認識することが可能な状態であるものとして、例えば、図７におけるレイアウトＩＤ８に対応するような表示可能な４種類の情報が全て表示されているような画像を表示させる。【０１１７】
一方、ステップＳ１２において、速度ｖ０よりも大きく、少なくとも停止している状態ではないとみなされた場合、処理は、ステップＳ１３に進む。【０１１８】
ステップＳ１３において、モード判定部１０２ａは、表示切替モードであるか否かを判定する。すなわち、ここで、表示切替モードとは、情報処理装置３１を装着したユーザの意思に拘わらず、運動量（運動強度）に応じて、運動強度が０より大きく所定値よりも小さいときは全情報量を同時に表示する同時表示モードとし、運動強度が所定値よりも大きくなると自動的に表示する情報量を減少させて、時分割して順次表示される時分割表示モードとするように表示を切り替えるモードである。尚、図９のフローチャートにおいては、表示切替モードではない（表示切替モードがオンではない）場合、運動強度によらず、常に同時表示モードとされるものとするが、運動強度によらず、同時表示モード、および、時分割表示モードのいずれかを固定的に設定できるようにしてもよい。【０１１９】
ステップＳ１３において、表示切替モードではない場合、処理は、ステップＳ１４に進む。【０１２０】
ステップＳ１４において、モード判定部１０２ａは、表示部１０３を制御して、表示切替モードをオンにするか否かを問い合せる画像を表示する。【０１２１】
ステップＳ１５において、モード判定部１０２ａは、操作部１０４からの情報に基づいて、操作部４１ａが操作されて、表示切替モードをオンにする操作がなされたか否かを判定する。例えば、表示切替モードをオンにする操作がなされていない場合、処理は、ステップＳ１６，Ｓ１７に進む。すなわち、この場合、動作状態によらず、表示モードが同時表示モードに設定されて、常に、全ての情報が表示された画像が表示され続ける。【０１２２】
一方、ステップＳ１５において、操作部４１ａが操作されて、表示切替モードがオンにされたとみなされた場合、または、ステップＳ１３において、表示切替モードがオンにされている場合、処理は、ステップＳ１８に進む。【０１２３】
ステップＳ１８において、モード判定部１０２ａは、表示モードを時分割表示モードに設定し、表示画像生成部１０２ｂに供給する。【０１２４】
ステップＳ１９において、モード判定部１０２ａは、視線検出部１０６より供給されてくる視線方向が所定時間以上、特定の方向に固定された状態であるか否かを判定する。ステップＳ１９において、視線方向が所定時間以上、特定の方向に固定していないと判定された場合、処理は、ステップＳ２０に進む。【０１２５】
ステップＳ２０において、モード判定部１０２ａは、動作状態情報取得部１０１より取得した動作状態情報として得られた移動速度が歩行速度程度の速度ｖ１（＞ｖ０）以上であるか否かを判定する。ステップＳ２０においては、ユーザの移動速度が、歩行速度である速度ｖ１以上（例えば、軽く走っている程度の速度）であるか否かが判定される。ステップＳ２０において、移動速度が速度ｖ１以上（例えば、軽く走っている程度の速度）で移動しているような場合、処理は、ステップＳ２１に進む。【０１２６】
ステップＳ２１において、表示画像生成部１０２ｂは、前回画像を表示したタイミングから所定の時間ｔ１だけ経過したか否かを判定し、時間ｔ１が経過するまで、同様の処理を繰り返す。そして、前回画像を表示したタイミングから所定の時間ｔ１だけ経過した場合、処理は、ステップ２３に進む。【０１２７】
また、ステップＳ２０において、移動速度が速度ｖ１以上ではなく、例えば、ユーザが歩行する程度の速度で移動しているものとみなされた場合、処理は、ステップＳ２２に進む。【０１２８】
ステップＳ２２において、表示画像生成部１０２ｂは、前回画像を表示したタイミングから所定の時間ｔ２（＜ｔ１）だけ経過したか否かを判定し、時間ｔ２が経過するまで、同様の処理を繰り返す。そして、前回画像を表示したタイミングから所定の時間ｔ２だけ経過した場合、処理は、ステップ２３に進む。【０１２９】
ステップＳ２３において、表示画像生成部１０２ｂは、割り込み表示画像が存在するか否かを判定する。すなわち、運動強度であるユーザの移動速度が高速になるに従って、認識できる情報量は、低減する傾向にあるため、ここでは、一度に認識できる情報量からなる画像を順次切り替えて表示する時分割表示モードであるが、時系列に順次表示し続ける画像に加えて、例えば、ルートナビゲーションなどにおいて、曲がり角や、分岐点などに差し掛かったときにのみ、特に必要な画像を割り込んででも表示すべきである割り込み表示画像があるか否かが判定される。【０１３０】
ステップＳ２３において、割り込み表示画像が存在しない場合、処理は、ステップＳ２４に進む。【０１３１】
ステップＳ２４において、表示画像生成部１０２ｂは、記憶部１０５に格納されている画像フォーマットの情報を読み出して、時系列に切り替えて表示する画像のうち、第ｎ番目に表示すべき情報からなる画像を生成して表示部１０３に表示させる。【０１３２】
ステップＳ２５において、表示画像生成部１０２ｂは、カウンタｎが最大値になったか否かを判定し、最大値ではない場合、ステップＳ２６において、カウンタｎを１インクリメントする。また、ステップＳ２５において、カウンタｎが最大値になったとみなされた場合、ステップＳ２７において、カウンタｎを０にリセットする。【０１３３】
ステップＳ２８において、モード判定部１０２ａは、処理が終了したか否かを判定し、終了していない場合、処理は、ステップＳ１２に戻る。また、ステップＳ２８において、処理が終了したとみなされた場合、処理は、終了する。【０１３４】
すなわち、移動速度が歩行速度である場合と、歩行速度よりも早い、例えば、走っているような速度である場合とで、時系列に切り替えて表示すべき画像の表示切替時間を切り替えるようにして、移動速度が走っている速度である場合については、歩行速度で移動するよりも認識率が低いので、同一の画像を表示している表示時間を移動速度が高くなるほど長くなるように切り替えて表示することが可能となる。【０１３５】
結果として、移動速度が高くなるにつれて、認識率が低下する分だけ、同一の画像が表示される時間が長くなるので、移動速度に応じて低下する認識率を表示時間で補うことで認識率の低下を低減させることが可能となる。また、この際にも、順次、表示される情報は、例えば、２種類ずつ変化するように表示されるので、例えば、４種類などの１度の表示では認識率が低下してしまうような情報も認識率の低下を抑制しつつ表示することが可能となる。【０１３６】
また、ステップＳ２１において、割り込み表示画像が存在する場合、処理は、ステップＳ２７に進む。【０１３７】
ステップＳ２７において、表示制御部１０２は、記憶部１０５に記憶されている画像情報を読み出して、必要とされる割り込み画像を生成して、表示部１０３に表示させる。【０１３８】
すなわち、時系列に表示する情報に加えて、割り込み表示画像を必要に応じて表示することが可能となる。この際、ユーザの移動速度に応じた視認による認識率の低下を抑制しつつ、適切なタイミングで表示すべき割り込み表示画像を適切なタイミングで表示することが可能となる。【０１３９】
尚、時系列で表示される情報とは、例えば、移動速度、移動距離、現在時刻、および1km当たりの平均速度などの情報であり、時間の経過に伴って、刻々と変化する情報である。ただし、ユーザの運動強度に応じて、１枚の表示画像で認識できる情報量は変化するため、時系列に表示される情報であっても、同時表示モードで表示される場合と、時分割表示モードとで表示される場合とがある。【０１４０】
同時表示モードの場合においては、例えば、図８の左部における画像表示領域ＰＡで示されるような、複数の情報が同時に表示されて、割り込み表示画像が存在しない限り、原則として運動強度に応じた時間間隔で、時々刻々と変化する情報が表示され続ける。これに対して、時分割表示モードの場合においては、例えば、図８の右部における画像表示領域Ｐａ，Ｐｂ，Ｐｃの順序で、割り込み表示画像が存在しない限り、複数の情報が個別に、原則として運動強度に応じた時間間隔で、切り替えられて表示され続ける。この場合、画像表示領域Ｐａ，Ｐｂ，Ｐｃの３枚の画像が、それぞれ運動強度に応じた時間間隔で切り替えられて表示されると共に、この３枚セットで表示される３種類の情報が、時間の経過に伴って情報を変化させながら繰り返し表示され続ける。【０１４１】
さらに、割り込み表示画像は、このような時系列の情報と異なり、特定の条件が整ったときにのみ表示される画像であり、例えば、ナビゲーションなどで分岐点などに差し掛かったタイミングにおいてのみ表示されるべきガイド表示情報であるため、時系列に繰り返し表示される情報とは異なる情報である。【０１４２】
さらに、ステップＳ１９において、所定時間以上、視線方向が所定の方向に固定されているような場合、処理は、ステップＳ３０に進む。【０１４３】
ステップＳ３０において、表示画像生成部１０２ｂは、視線方向に表示される情報を選択的に表示する画像を生成して、表示部１０３に表示させる。【０１４４】
すなわち、例えば、全情報を表示する場合、図７のレイアウトＩＤ８で示されるような時刻、移動距離、1km当たりの平均時間、および心拍数からなる４種類の情報が表示されるようなとき、画像表示領域Ｐが表示される領域における、右上部で示される移動距離の表示領域に視線方向が所定時間以上固定されるような場合、移動距離の情報を表示してほしいというユーザの意志と捉えて、移動距離の情報を表示する。【０１４５】
このような動作により、時系列に変化する情報を表示しつつ、今知りたいと思う情報については、その表示位置に対応する位置に視線方向を固定することで、情報処理装置３１に対して表示を促すことが可能となり、この要求に応じて、表示したい画像をユーザの要求に応じて表示させることが可能となる。【０１４６】
ステップＳ２０における閾値となる移動速度ｖ１については、動作状態情報などにより動的に切り替えられるようにしてもよい。【０１４７】
＜ランニングのときに使用されるアプリケーションの第１の例＞
図９のフローチャートを参照して説明した処理により、例えば、ランニングのときに使用するアプリケーションの場合、図１０で示されるような画像が順次表示される。【０１４８】
すなわち、表示部１０３により表示される画像表示領域Ｐについては、図１０の画像表示領域Ｐ１で示されるように、上段に移動速度が表示され、下段にランニングの継続時間が表示され、２つの情報を分断する水平方向の延びる直線は、全ルートに対しての現在位置を示すゲージとされている（移動してきた距離に応じて色が付される）。画像表示領域Ｐ２は、ランニングするコースとして設定されたルートを案内する（ナビゲーションする）情報を示したものである。画像表示領域Ｐ３，Ｐ５，Ｐ６，Ｐ８，Ｐ９は、画像表示領域Ｐ１で示される移動速度と継続時間とが表示される時系列に順次切り替えて表示される（時間の経過に伴って連続的に表示される）情報である。画像表示領域Ｐ４は、「Speed Up」と表示されており、ランニングする速度として設定された速度よりも、現状の移動速度が低いため、より速く走るように促す画像である。画像表示領域Ｐ７は、現状の移動速度が設定速度になっているので、そのまま走り続けるように促す画像である。【０１４９】
すなわち、以上の処理により、画像表示領域Ｐ１でスタートした時の移動速度、継続時間、および全ルートに対する現在位置の情報が表示されると、次のタイミングで割り込み表示画像として、画像表示領域Ｐ２が表示される。これにより、ユーザは、ランニングするべきルートを確認することができる。そして、再び、画像表示領域Ｐ３により時系列に繰り返し表示される移動速度、継続時間、および全ルートに対する現在位置の情報が表示される。ここで、移動速度が設定速度よりも低いので、割り込み表示画像として、画像表示領域Ｐ４が表示される。その後、画像表示領域Ｐ５，Ｐ６が時系列に順次表示されて、移動速度、継続時間、および全ルートに対する現在位置の情報が表示される。ここで、設定速度に達したため、割り込み表示画像として画像表示領域Ｐ７が表示されて、このままの速度で移動することを促す情報が表示される。そして、画像表示領域Ｐ８，Ｐ９が、時系列に順次表示されて、移動速度、継続時間、および全ルートに対する現在位置の情報が表示される。【０１５０】
この際、画像表示領域Ｐ１乃至Ｐ９が順次表示される時間は、移動速度が速くなるにしたがって長くなり、移動速度に応じた認識率の低下を抑制することが可能となる。また、時系列に表示されている情報については、変化が小さな全ルートに対する現在位置の情報に対して、時間の経過に伴って刻々と変化する情報としては、移動速度、および継続時間の２種類の情報とされているので、図７で示されるように認識率の低下を抑制することが可能となる。さらに、状況に応じて、各タイミングで必要とされる情報については、画像表示領域Ｐ４，Ｐ７といった割り込み表示画像として適切なタイミングで表示されることになるので、適切な情報を適切なタイミングで表示することが可能となる。【０１５１】
＜自転車に乗るときに使用されるアプリケーションの第１の例＞
また、図９のフローチャートを参照して説明した処理により、例えば、自転車に乗るときに使用するアプリケーションの場合、図１１で示されるような画像が順次表示される。【０１５２】
表示部１０３により表示される画像表示領域Ｐについては、最初に、図１１の画像表示領域Ｐ２１で示されるように、グラフィックにより地図が表示され、これからのルートの全体が表示され、現在位置における進行方向を示すコンパス状のアイコンが表示される。画像表示領域Ｐ２２は、現在位置付近のルートを拡大して表示したものである。画像表示領域Ｐ２３は、左部において付近のルートを拡大して表示し、右部において、現在位置における勾配として「１２%」であることを示している。画像表示領域Ｐ２４，Ｐ２５は、左部において現在位置付近のルートを拡大して表示し、右部において、現在の移動速度として、それぞれ「３５km/h」、および「１０km/h」であることを示している。【０１５３】
画像表示領域Ｐ２６，Ｐ２７は、ルート上において、右折する必要があることを示すグラフィック画像である。画像表示領域Ｐ２８は、ルート上におけるランドマークとなる山の名称（Mt.Garan，Mt.Daruma）を表示する画像である。【０１５４】
画像表示領域Ｐ２９，Ｐ３０は、左部において現在位置付近のルートを拡大して表示し、右部において、それぞれ移動速度が「１km/h」、および「１９km/h」であることを示している。画像表示領域Ｐ３１は、ルートの全体を表示し、現在位置における進行方向を示すコンパス状のアイコンを表示している。【０１５５】
ここで、画像表示領域Ｐ２１，Ｐ２２で示されるような、ルートの全体画像、および現在位置付近のルートの拡大表示画像、および画像表示領域Ｐ２４，Ｐ２５，Ｐ２９，Ｐ３０で示されるような、左部において現在位置付近のルートを拡大して表示し、右部において、移動速度を表示する画像を時系列に順次繰り返し表示するものとし、それ以外の画像を割り込み画像であるものとすることができる。【０１５６】
結果として、画像表示領域Ｐ２１でルートの全体画像が表示されると、次に、画像表示領域Ｐ２２によりルートの現在位置付近の拡大画像が表示される。ここで、動作状態情報において、勾配を示す情報が検出されると、左部においてルートの現在位置付近の拡大画像が表示され、右部に、現在位置の勾配が「１２％」であることを示す画像表示領域Ｐ２３が、割り込み画像として表示される。【０１５７】
その後、画像表示領域Ｐ２４，Ｐ２５が時系列に表示されると、右折すべきタイミングにおいて、画像表示領域Ｐ２６乃至Ｐ２８で示されるような、右折を促す画像が割り込み画像として表示される。この際、ランドマークとなる山の名称は、右折を促す画像が表示されてから所定時間が経過した後に表示される。この結果、右折するといった重要な情報をユーザに認識させることが可能となり、その後に、ランドマークとなる山の名称を認識させることができる。その後、再び、画像表示領域Ｐ２９乃至Ｐ３１により時系列の画像が表示される。【０１５８】
このような表示においても、移動速度が高速になるほど、各画像の表示時間は長くなり、認識率の低下を低減することができる。また、最大でも、同時に表示する情報が２種類となっているので、認識率の低下を低減させることができる。さらに、状況に応じて、各タイミングで必要とされる情報については、割り込み表示画像が適切なタイミングで表示されることになるので、適切な情報を表示することが可能となる。【０１５９】
＜テニスをするときに使用されるアプリケーションの第１の例＞
さらに、図９のフローチャートを参照して説明した処理により、例えば、テニスをするときに使用するアプリケーションの場合、図１２で示されるような画像が順次表示される。尚、このときの動作状態情報は、ユーザが使用するテニスラケットの打面における圧力分布の情報、および、テニスボールの回転を捉える画像となる。【０１６０】
表示部１０３により表示される画像表示領域Ｐについては、画像表示領域Ｐ５１で示されるように、最初に、サーブを打ったときのラケットにテニスボールが当たったときの打面における位置と、そのときの圧力分布が示される。【０１６１】
次に、ボールを打ち返したタイミングにおいて、画像表示領域Ｐ５２で示されるように、ラケットの打面におけるボールが打ち返された位置が示される。そして、次のタイミングにおいて、画像表示領域Ｐ５３で示されるように、打ち返した際のボールの速度（図中では、１０２km/h）と、スピンのレベル（図中では、+3spin）とが表示される。【０１６２】
以降において同様の処理が繰り返され、再びボールを打ち返したタイミングにおいて、画像表示領域Ｐ５４で示されるように、ラケットの打面におけるボールが打ち返された位置が示される。そして、次のタイミングにおいて、画像表示領域Ｐ５５で示されるように、打ち返した際のボールの速度（図中では、７２km/h）と、スピンのレベル（図中では、+1spin）とが表示される。【０１６３】
そして、再び次のサーブが打たれると、画像表示領域Ｐ５６で示されるように、サーブを打ったときのラケットにボールが当たったときの打面における位置と、そのときの圧力分布が示される。【０１６４】
すなわち、このようにストロークが繰り返されている間は、画像表示領域Ｐ５２，Ｐ５３、およびＰ５４，Ｐ５５が繰り返し、時系列に表示され、サーブを打った際の画像表示領域Ｐ５１，Ｐ５６が割り込み画像として表示される。【０１６５】
このような表示においても、移動速度が高速になるほど、各画像の表示時間は長くなり、認識率の低下を低減することができる。また、最大でも、同時に表示する情報が２種類となっているので、認識率の低下を低減させることができる。さらに、状況に応じて、各タイミングで必要とされる情報については、割り込み画像として適切なタイミングで表示されることになるので、適切な情報を提示することが可能となる。【０１６６】
＜ゴルフをするときに使用されるアプリケーションの第１の例＞
また、図９のフローチャートを参照して説明した処理により、例えば、ゴルフをするときに使用するアプリケーションの場合、図１３で示されるような画像が順次表示される。尚、このときの動作状態情報は、ユーザのゴルフ場における位置、ゴルフ場のコースレイアウト、および風速となる。【０１６７】
表示部１０３により表示される画像表示領域Ｐについては、画像表示領域Ｐ７１で示されるように、最初に、ユーザの現在位置からグリーンの中央位置までの距離（図中では167ydと表示されている）と、グリーンのエッジまでの距離（図中では155ydと表示されている）が表示される。【０１６８】
引き続き、画像表示領域Ｐ７２で示されるように、ユーザの現在位置からグリーンの中央位置までの距離（図中では165ydと表示されている）と、グリーンのエッジまでの距離（図中では153ydと表示されている）が表示される。【０１６９】
次に、画像表示領域Ｐ７３で示されるように、コースレイアウトより、現在位置からアプローチに推奨されるクラブが７番アイアン（図中では7Iと表示されている）であることが示される。【０１７０】
さらに、画像表示領域Ｐ７４で示されるように、グリーン周辺のレイアウトがグラフィックにより具体的に表示されると共に、グラフィック上のグリーン上のホールの位置が、グリーンのエッジからの距離として表示されている。より具体的には、図中においては、レイアウト上の上方向が北方向である場合、東端のエッジからホールまでが8ydであり、南端のエッジからホールまでが30ydであることが示されている。【０１７１】
次に、画像表示領域Ｐ７５で示されるように、グリーン上における風速と方向が示され、図中においては、北北西の風が、風速8m/sであることが示されている。【０１７２】
次に、画像表示領域Ｐ７６で示されるように、ユーザの現在位置からホールまでの距離（図中では162ydと表示されている）が表示される。【０１７３】
以降においては、画像表示領域Ｐ７７乃至Ｐ７９が、画像表示領域Ｐ７１乃至Ｐ７３と同様に表示される。【０１７４】
すなわち、この例においては、画像表示領域Ｐ７１乃至Ｐ７６のように、ユーザの位置からグリーン中心までの距離と、グリーンエッジまでの距離とが表示される画像、推奨されるクラブの種別が表示される画像、グリーン上のレイアウトの画像、風速と風向とが表示された画像、およびユーザからホールまでの距離が表示された画像が、時系列に順次、表示される。【０１７５】
このような表示においても、移動速度が高速になるほど、各画像の表示時間は長くなり、認識率の低下を低減することができる。また、最大でも、同時に表示する情報が、所定数の種類（この実施例では２種類）となっているので、認識率の低下を低減させつつ、多くの情報を切り替えて表示することで、認識させることができる。【０１７６】
尚、以上においては、時系列に表示されるべき情報と、割り込み表示画像として表示すべき情報を、動作状態情報である運動強度に応じて、同時表示モード、および時分割表示モードを切り替えるようにすることで、認識率の低下を低減させつつ、多くの情報を認識し易くする例について説明してきた。【０１７７】
また、画像表示領域に表示される表示画像については、移動速度に応じて表示時間を切り替えるようにしてきたが、移動時間以外の要素で表示時間を切り替えるようにしてもよく、例えば、情報が表示されるための条件や重要度に応じて、画像表示領域に表示される情報が表示されるために割り当てられている時間を切り替えるようにしてもよく、例えば、災害や事故の発生に伴った緊急回避行動を指示する情報などは、表示時間を長くするといった処理をするようにしてもよい。【０１７８】
さらに、表示時間の長さは、移動速度以外の運動強度に応じて設定するようにしてもよく、例えば、振動、視線、心拍数、体温、発汗量、脳波、または筋電等に応じて変化させるようにしても良い。このような場合、運動強度が強い程、認識率が低下しているものと見なして、表示時間を長くし、運動強度が弱いほど、認識率の低下が少ないものと見なして、表示時間を短くするようにしてもよい。【０１７９】
また、表示時間の長さを、運動強度に応じて設定する場合、表示時間の長さを切り替える閾値を、状態に応じて変化させるようにしてもよい。すなわち、上述した処理においては、移動速度が速度ｖ１よりも大きいか否かに応じて表示時間を切り替える例について説明しているが、表示画像において表示されている情報の種別、運動強度、またはアプリケーションなどの条件に応じて変化させるようにしてもよい。【０１８０】
＜第２の実施の形態＞
以上においては、ユーザの運動強度が小さい場合は、全情報を同時表示モードとし、ユーザの運動強度が大きく同時に認識するには表示される情報が多過ぎる場合、一瞥したときの認識率が維持可能な数の情報ずつ、順次切り替えて表示することで、多くの情報であっても認識率を低下させることなくユーザに表示する例について説明してきた。【０１８１】
しかしながら、人間は表示された情報の種別などについては、一旦位置を記憶すると、情報の種別を位置に対応付けて認識することで、単位やラベルなどについては省略して表示するようにしても、認識率に影響しない。【０１８２】
すなわち、図１４で示されるように、同一画像内の上段に現在の1kmあたりの移動時間を表示し、下段にこれまでの1kmあたりの平均移動時間を表示した場合、実態としての情報を示す数値の前段に表示される「現在」、および「平均」といったラベルの表示や、後段に表示される「分/km」といった単位の表示については、小さく表示したり、省略して表示しても認識率には余り影響を与えない。【０１８３】
より詳細には、図１４中の左部で示されるように、小さな表示にした場合でも、図１４中の中央部で示されるように、単位だけを小さな表示にした場合でも、図１４中の右部で示されるように、前段の表示を省略し、後段の表示を小さくしても、認識率は、概ね９０％程度で有り、影響を与えないことが示されている。【０１８４】
すなわち、移動速度に応じて、ラベルや単位といった変化のない情報については、省略して表示するようにしてもよく、変化する実質的に必要な情報だけを表示するようにすることで、認識率の低下を抑制することができる。【０１８５】
＜情報処理装置の第２の実施の形態の構成＞
次に、図１５を参照して、移動速度に応じて、ラベルや単位といった表示内容に変化がない情報については、省略して表示するようにした、情報処理装置３１の第２の実施の形態の構成例について説明する。尚、図１５の情報処理装置３１において、図５の情報処理装置３１における構成と同一の機能を備えた構成については、同一の名称、および同一の符号を付しており、その説明は適宜省略するものとする。【０１８６】
すなわち、図１５の情報処理装置３１において、図５の情報処理装置３１と異なる点は、表示制御部１０２に代えて、表示制御部１２１を設けた点である。表示制御部１２１は、基本的な機能は、表示制御部１０２と同様であるが、移動速度が高速になるに従って、情報に付加されているラベルや単位といった、一度表示されると変化することのない情報については、省略して表示する表示モードに切り替える。【０１８７】
より詳細には、表示制御部１２１は、モード判定部１２１ａおよび表示画像生成部１２１ｂを備えている。モード判定部１２１ａは、基本的な動作は、モード判定部１０２ａと同様であるが、上述した様に、ラベルや単位といった一度表示されると変化することのない情報については、省略して表示するように表示モードを切り替える。すなわち、この例では、同時表示モード、および時分割表示モードに加えて、表示内容に変化がない情報については表示しない、同時省略表示モード、および時分割省略表示モードの４種類の表示モードに切り替えられる。【０１８８】
また、ここで、表示内容に変化がない情報とは、例えば、動作状態情報として検出される運動強度の変化とは連動することなく変化しない情報、並びにラベルまたは単位を含む情報である。【０１８９】
ただし、例えば、移動距離などでは、スタートから間もない時間帯では、m単位で表示されたものが、1000mを超えたところでkmに表示される単位や、経過時間などでは、分単位で表示されたものが60分を超えたところで時間単位に表示されるといった単位やラベルも、その表示に変化がない限り、対象となるものとする。【０１９０】
従って、ここで表示内容に変化がない情報とは、長さの単位であれば、0乃至999mまでの条件内における「m」、または1000mを超えたときの条件における「km」といった単位、速さの単位であれば、0乃至999m/sまでの条件内における「m/s」、および1000mを超えたときの条件における「km/s」といった単位、並びに、時間の単位であれば、0乃至59分といった条件内における「分」、および60分を超えることが条件における「時間」といった単位など、所定条件内において変化することがない単位やラベルなどの情報を含むものである。【０１９１】
換言すれば、変化することがある単位やラベルであっても、所定の条件において変化することがない単位やラベルであれば、所定の条件において、表示内容に変化がない情報として扱うものである。尚、表示画像生成部１２１ｂは、表示画像生成部１０２ｂと同一の機能を備えたものである。【０１９２】
＜図１５の情報処理装置による表示制御処理＞
次に、図１６，図１７のフローチャートを参照して、図１５の情報処理装置３１による表示制御処理について説明する。尚、図１６，図１７のフローチャートにおけるステップＳ４１乃至Ｓ４５，Ｓ４７，Ｓ４８，Ｓ５１乃至Ｓ５５、ステップＳ５７、およびステップＳ６０乃至Ｓ６３，Ｓ６５，Ｓ６９の処理は、図９のステップＳ１１乃至Ｓ２４、およびステップＳ２５乃至Ｓ３０の処理と同様であるので、その説明は省略するものとする。【０１９３】
すなわち、ステップＳ４１乃至Ｓ４５までの処理により、表示切替モードではない場合、ステップＳ４６（図１６）において、モード判定部１２１ａは、同時表示モードでの表示が所定時間継続したか否かを判定する。表示切替モードではない場合、最初の処理では、同時表示モードでの表示が所定時間継続していないので、ステップＳ４７，Ｓ４８の処理によりに同時表示モードで全情報が同時に表示された表示画像が表示される。【０１９４】
表示切替モードではない状態が継続すると、同時表示モードでの表示が継続され続ける事になり、ステップＳ４６の処理が繰り返されて、同時表示モードでの継続時間が所定時間になると、処理は、ステップＳ４９に進む。【０１９５】
ステップＳ４９において、モード判定部１２１ａは、表示モードを同時省略表示モードに設定し、表示画像生成部１２１ｂに供給する。【０１９６】
ステップＳ５０において、表示画像生成部１２１ｂは、表示可能な情報を全て同時に表示すると共に、変化しない所定時間表示され続けられることにより、ユーザが視認するまでもなく記憶しているようなラベルや単位といった情報を小さくする、または、省略するような省略表示に切り替えて表示されるようにする。【０１９７】
表示画像生成部１２１ｂは、表示画像を生成して、表示部１０３を制御して表示させる。すなわち、全情報が表示された状態が所定時間経過しているので、この場合、ユーザは、多くの情報を認識することが可能な状態であり、また、各情報の単位やラベルなどについても表示され続けてきたので、記憶しているものとして、単位が省略された状態で全情報が表示される表示画像を生成し、表示部１０３に表示させる。【０１９８】
例えば、「現在時刻」、「移動距離」、「1km当たりの平均時間」、および「心拍数」を表示する場合、同時表示モードにおいては、図１８の画像表示領域Ｐ９１で示されるように、現在時刻については、単位が示されていないが、「移動距離」の単位として「km」が表示され、「1km当たりの平均時間」の単位として「/km」が表示され、および「心拍数」の単位として「bpm」が表示されるようにする。これに対して、同時省略表示モードにおいては、図１８の画像表示領域Ｐ９２で示されるように、「移動距離」の単位としての「km」、「1km当たりの平均時間」の単位としての「/km」が表示され、および「心拍数」の単位としての「bpm」がいずれも省略される。【０１９９】
このように、同時表示モードで表示することで、ユーザの視野の中には、予め情報の種別が認識されている、全情報だけが表示されることになるので、表示する情報の認識率の低下を抑制することが可能となる。また、同時表示モードで所定時間表示された後、ユーザが単位やラベルを記憶しているような状況においては、単位やラベルは表示されないので、実際の数値を認識し易くすることができる。【０２００】
また、ステップＳ４１乃至Ｓ５５までの処理により、視線方向が固定されておらず、前回の表示時刻から時間ｔ１またはｔ２が経過して表示がなされる場合、すなわち、割り込み表示がない場合、処理は、ステップＳ５７（図１７）に進む。【０２０１】
ステップＳ５７において、モード判定部１２１ａは、動作状態情報取得部１０１より供給されてくるユーザの現在の移動速度が、所定の速度ｖ２よりも高速であるか否かを判定し、高速である場合、処理は、ステップＳ５９に進む。速度ｖ２とは、速度ｖ１よりも高速であり、従って、速度ｖ２よりも高速であるとは、例えば、走っていると仮定した場合、特に、高速で走っている状態であることを示している。【０２０２】
ステップＳ５９において、モード判定部１２１ａは、表示モードを時分割表示モードから時分割省略表示モードに切り替えて設定し、表示画像生成部１２１ｂに供給する。【０２０３】
ステップＳ６０において、表示画像生成部１２１ｂは、記憶部１０５に格納されている画像フォーマットの情報を読み出して、時系列に切り替えて表示する画像のうち、第ｎ番目の表示すべき情報からなる画像を生成し、さらに、ラベルや単位などを省略して表示部１０３に表示させる。【０２０４】
すなわち、特に高速で移動しているということは、認識率が、特に低下し易い状態であるとも言える。そこで、このような場合については、予め低速時に表示されており、ユーザが視認するまでもなく記憶しているようなラベルや単位といった情報を小さくする、または、省略するような省略表示に切り替えて表示されるようにする。このようにすることで、ユーザの視野の中には、予め情報の種別が認識されている、必要最小限の情報だけが表示されることになるので、表示する情報の認識率の低下を抑制することが可能となる。【０２０５】
また、ここで、ステップＳ５７において、現在の移動速度が速度ｖ２よりも低速である場合、ステップＳ５８において、表示画像生成部１２１ｂは、記憶部１０５に格納されている画像情報を読み出して、時系列に切り替えて表示する画像のうち、第ｎ番目の表示すべき情報からなる画像を生成し、通常のラベルや単位を含んだ状態で表示部１０３に表示する。【０２０６】
さらに、ステップＳ５６において、割り込み表示情報が存在する場合、処理は、ステップＳ６５に進む。【０２０７】
ステップＳ６５において、モード判定部１２１ａは、動作状態情報取得部１０１より供給されてくるユーザの現在の移動速度が、所定の速度ｖ２よりも高速であるか否かを判定し、高速である場合、処理は、ステップＳ６７に進む。【０２０８】
ステップＳ６７において、モード判定部１２１ａは、表示モードを時分割表示モードから時分割省略表示モードに切り替えて設定し、表示画像生成部１２１ｂに供給する。【０２０９】
ステップＳ６８において、表示画像生成部１２１ｂは、記憶部１０５に記憶されている画像情報を読み出して、必要とされる割り込み画像を生成し、さらに、ラベルや単位などを省略して表示部１０３に表示させる。【０２１０】
すなわち、割り込み表示画像が存在する場合についても、予め情報の種別が認識されている、必要最小限の情報だけを表示することで、表示する情報の認識率の低下を抑制することが可能となる。【０２１１】
一方、ステップＳ６１において、移動速度が速度ｖ２よりも低速である場合、ステップＳ６２において、表示画像生成部１２１ｂは、記憶部１０５に記憶されている画像情報を読み出して、必要とされる割り込み画像を生成し、通常のラベルや単位を含んだ状態で表示部１０３に表示させる。【０２１２】
さらに、ステップＳ５１において、視線方向が所定時間以上固定されている場合、処理は、ステップＳ６９に進む。【０２１３】
ステップＳ６９において、モード判定部１２１ａは、動作状態情報取得部１０１より供給されてくるユーザの現在の移動速度が、所定の速度ｖ２よりも高速であるか否かを判定し、高速である場合、処理は、ステップＳ７１に進む。【０２１４】
ステップＳ７１において、モード判定部１２１ａは、表示モードを時分割表示モードから時分割省略表示モードに切り替えて設定し、表示画像生成部１２１ｂに供給する。【０２１５】
ステップＳ７２において、表示画像生成部１２１ｂは、視線方向に表示される情報を選択的に表示する画像を生成し、さらに、ラベルや単位などを省略して表示部１０３に表示させる。【０２１６】
すなわち、視線方向の情報の画像を表示する場合についても、予め情報の種別が認識されている、必要最小限の情報だけを表示することで、表示する情報の認識率の低下を抑制することが可能となる。【０２１７】
一方、ステップＳ６５において、移動速度が速度ｖ２よりも低速である場合、ステップＳ６６において、表示画像生成部１２１ｂは、表示制御部１０２は、視線方向に表示される情報を選択的に表示する画像を生成し、通常のラベルや単位を含んだ状態で表示部１０３に表示させる。【０２１８】
以上においては、移動速度に応じて、ラベルや単位などを省略して表示する例について説明してきたが、表示内容を変化する情報をより大きく表示するようにしたり、点滅表示するようにして、ラベルや単位などよりも認識し易く強調して表示するようにしても良いし、省略表示と強調表示とを両方実行するようにしても良い。【０２１９】
＜ランニングのときに使用されるアプリケーションの第２の例＞
すなわち、図１６，図１７のフローチャートを参照して説明した処理により、上述した、例えば、ランニングのときに使用するアプリケーションの場合、低速時においては、図１０で示されるような画像が順次表示されていたのに対して、高速時になると、図１９の画像表示領域Ｐ１０３，Ｐ１０５，Ｐ１０６，Ｐ１０８で示されるように、「km/h」といった単位の表示が省略された状態で表示される。尚、図１９の画像表示領域Ｐ１０１乃至Ｐ１０９は、図１０の画像表示領域Ｐ１乃至Ｐ９に対応するものである。【０２２０】
＜自転車に乗るときに使用されるアプリケーションの第２の例＞
また、図１６，図１７のフローチャートを参照して説明した処理により、自転車に乗るときに使用されるアプリケーションの場合については、例えば、移動速度が高速時には、図２０の画像表示領域Ｐ１２１で示されるようなルートの全体を表示するようにして、低速時には、画像表示領域Ｐ１２２で示されるような現在位置周辺のルートだけをズームアップして表示するようにし、さらに、図中の右部で示されるような1km単位のスケールを表示させるようにしてもよい。さらに、低速時には、画像表示領域Ｐ１２３で示されるように、周辺のルートだけをズームアップして表示すると共に、現在の速度を表示するようにし、再び高速時になったときには、画像表示領域Ｐ１２４で示されるように速度を省略して表示するようにしても良い。【０２２１】
＜テニスをするときに使用されるアプリケーションの第２の例＞
さらに、図１６，図１７のフローチャートを参照して説明した処理により、テニスをするときに使用されるアプリケーションの場合については、例えば、ラリーがゆっくりと繰り返されており、ユーザの移動速度が低速時には、図２１の画像表示領域Ｐ１４１で示されるように、ボールの速度の単位である「km/h」や、ボールに係るスピンの単位として表示する「spin」といった単位を表示する。これに対して、例えば、ラリーが高速で繰り返されており、ユーザの移動速度が高速時には、図２１の画像表示領域Ｐ１４２で示されるように、ボールの速度の単位である「km/h」や、ボールに係るスピンの単位として表示する「spin」といった単位を省略して表示する。【０２２２】
＜ゴルフをするときに使用されるアプリケーションの第２の例＞
また、図１６，図１７のフローチャートを参照して説明した処理により、ゴルフをするときに使用されるアプリケーションの場合については、例えば、ラウンド中に徒歩やカートなどにより移動しており、ユーザの移動速度が比較的高速時には、図２２の画像表示領域Ｐ１６１で示されるように、グリーンの中心やエッジまでの距離を表示した画像から、割り込み表示画像として、画像表示領域Ｐ１６２で示されるような推奨するクラブの情報を表示する。一方、ユーザの移動が停止しており、リリースに入っているものと想定される場合については、プレーに集中するために、図２２の画像表示領域Ｐ１６３で示されるように、グリーンの中心やエッジまでの距離の表示から、割り込み表示画像として、画像表示領域Ｐ１６４で示されるような一切何も表示しない状態とするようにしてもよい。【０２２３】
以上においては、運動強度に応じて、表示する情報の一部を省略して表示する例について説明してきたが、運動強度に含まれる複数の情報に基づいて、テニス、ランニング、またはゴルフ等、ユーザが今現在しているスポーツの種別を解析し、解析結果に応じたスポーツに対応するアプリケーションを起動させ、さらに、省略して表示するか否かを設定するための閾値をアプリケーションプログラムに応じて設定するようにしても良い。【０２２４】
また、運動強度が高いときには、原則的に省略して表示するようにするが、視線検出により一瞬でも画像表示領域へと視線が向いた場合については、省略せずに表示するようにしても良い。【０２２５】
さらに、所定時間以上長く視線が画像表示領域へと向いた場合については、運動強度に拘わらず、ラベルや単位を表示するようにしても良い。【０２２６】
また、アプリケーションの使用頻度に応じて、例えば、使用頻度が低い場合には、省略せずに表示し、逆に、使用頻度が高い場合には、省略して表示するようにしても良い。【０２２７】
＜第３の実施の形態＞
以上においては、表示部１０３により表示される画像により提示される情報がグラフィックやテキストである例について説明してきたが、程度を認識させるための測定器具をイメージした画像により認識し易くして情報を表示することがある。【０２２８】
このような測定器具をイメージした画像表示領域内に表示されるグラフィックの表示例としては、例えば、図２３で示されるものがある。【０２２９】
例えば、図２３における画像表示領域Ｇ１，Ｇ１１，Ｇ２１は、横軸に対して数値に応じた棒グラフが表示されるグラフィックを示したものである。ここで、図中の逆白三角は、その頂点で示される横軸上の位置が目標値を表しており、目標値よりも低い（Under）場合、画像表示領域Ｇ１で表示され、目標値に一致した（OK）場合、画像表示領域Ｇ１１で表示され、目標値よりも高い（Over）場合、画像表示領域Ｇ２１で表示される。【０２３０】
同様に、図２３における画像表示領域Ｇ２，Ｇ１２，Ｇ２２は、縦軸に対して数値に応じた棒グラフが表示されるグラフィックを示したものである。ここで、図中の逆白三角は、その頂点で示される縦軸上の位置が目標値を表しており、目標値よりも低い場合、画像表示領域Ｇ２で表示され、目標値に一致した場合、画像表示領域Ｇ１２で表示され、目標値よりも高い場合、画像表示領域Ｇ２２で表示される。【０２３１】
また、図２３における画像表示領域Ｇ３，Ｇ１３，Ｇ２３は、中心位置に対して数値に応じた半径のサイズの実線円が表示されるグラフィックを示したものである。ここで、図中の点線の円は、中心からの距離が目標値を表しており、目標値よりも低い場合、画像表示領域Ｇ３で表示され、目標値に一致した場合、画像表示領域Ｇ１３で表示され、目標値よりも高い場合、画像表示領域Ｇ２４で表示される。尚、図２３においては、真円の半径サイズで数値を表現する例が示されているが、必ずしも真円である必要は無く、例えば、楕円や多角形からなる方形状のものであってもよいし、外形形状は他の自由形状でもよく、数値に応じた、少なくとも第１の方向と第２の方向に形状が変化する形状である。換言すれば、２次元平面で表現される形状の、少なくとも２方向以上のそれぞれの幅が、数値の大小を表現できる形状からなるグラフィックであれば良いものである。【０２３２】
また、ここでいう２方向とは、例えば、形状が楕円である場合における長径および短径の方向であり、この場合、数値に応じて、長径および短径が設定されて形状が表現される。また、楕円の場合、２方向の軸は相互の直交しているが、直交していないものであってもよい。さらに、長径および短径と設定される位置については、変心していても良い。ちなみに、真円については、長径と短径とが同一の楕円である。【０２３３】
さらに、図２３における画像表示領域Ｇ４，Ｇ１４，Ｇ２４は、下部中心位置に対して棒状の針が、数値に応じた角度に回転して表示されるグラフィックを示したものである。ここで、図中の逆白三角の位置は、目標値を表しており、目標値よりも低い場合、画像表示領域Ｇ４で表示され、目標値に一致した場合、画像表示領域Ｇ１４で表示され、目標値よりも高い場合、画像表示領域Ｇ２４で表示される。【０２３４】
また、図２３における画像表示領域Ｇ５，Ｇ１５，Ｇ２５は、数値に応じて矢印の向きと丸印とにより状態が表示されるグラフィックを示したものである。ここで、目標値よりも低い場合、画像表示領域Ｇ５で表示されるように上向きの矢印が表示され、目標値に一致した場合、画像表示領域Ｇ１５で表示されるように丸印が表示され、目標値よりも高い場合、画像表示領域Ｇ２５で表示されるように下向きの矢印が表示される。【０２３５】
さらに、図２３における画像表示領域Ｇ６，Ｇ１６，Ｇ２６で示されるように、それぞれ具体的な目標値（図中においては、5km/hと表示されている）と現在の数値が、テキスト情報で表示される。図２２の画像表示領域Ｇ６，Ｇ１６，Ｇ２６においては、それぞれ2km/h，5km/h，９km/hと表示されている。【０２３６】
これらの表示例について静止時（運動していないとき）の認識し易さと、運動時の認識のし易さをそれぞれの認識率により統計的に比較した結果が、図２４に示されている。【０２３７】
この結果、静止時に認識率の順位は、上位から図２４の左部で示されるように、画像表示領域Ｇ４，Ｇ２，Ｇ１，Ｇ３，Ｇ５，Ｇ６となった。しかしながら、運動時の認識率の順位は、上位から、図２４の右部で示されるように、画像表示領域Ｇ３，Ｇ１，Ｇ４，Ｇ２，Ｇ５，Ｇ６となった。【０２３８】
すなわち、認識率が最も高い表示例は、静止時には、画像表示領域Ｇ４であるが、運動時には、画像表示領域Ｇ３となり、静止時と運動時とで認識率の高いグラフィックには違いがあることが示された。【０２３９】
これは、図２５で示されるように、角度で数値を表現する画像表示領域Ｇ４は、値を示す棒状の先端部の指す位置を視認するのが難しくなるのに対して、数値を面積で表現する画像表示領域Ｇ３は、中心位置を基準として揺れながら視認しても、認識し易いからであると考えられる。【０２４０】
このようなことから、運動強度である移動速度に応じて、視認し易いグラフィックに切り替えるようにすることで、運動に伴った認識率の低下を抑制することが可能になると考えられる。【０２４１】
＜情報処理装置の第３の実施の形態の構成＞
次に、図２６を参照して、移動速度に応じて、グラフィックを切り替えて表示するようにした情報処理装置３１の第３の実施の形態の構成例について説明する。尚、図２６の情報処理装置３１において、図５の情報処理装置３１における構成と同一の機能を備えた構成については、同一の名称、および同一の符号を付しており、その説明は適宜省略するものとする。【０２４２】
すなわち、図２６の情報処理装置３１において、図５の情報処理装置３１と異なる点は、表示制御部１０２に代えて、表示制御部１４１を設けた点である。表示制御部１４１は、基本的な機能は、表示制御部１０２と同様であるが、移動速度に伴って、情報を表現するために用いるグラフィックを変化させて表示する。より詳細には、表示制御部１４１は、モード判定部１４１ａおよび表示画像生成部１４１ｂを備えている。モード判定部１４１ａは、グラフィックを表示するにあたって、複数の情報を同時に表示する同時表示モードと、複数の情報を時分割表示する時分割表示モードに加えて、高速用グラフィック表示モード、または低速用グラフィック表示モードとを切り替える。表示画像生成部１４１ｂは、基本的には、表示画像生成部１０２ｂと同一の機能を備えているが、さらに、モード判定部１４１ａにより設定された表示モードのグラフィックを用いて表示画像を生成して表示部１０３に表示する。【０２４３】
尚、表示画像生成部１４１ｂが、グラフィックを用いた表示画像を生成するとは、表示制御部１４１が、グラフィックを用いた表示画像を表示するように表示部１０３を制御するための表示制御情報を生成することである。従って、表示制御部１４１は、表示画像生成部１４１ｂを制御して表示制御情報を生成させ、生成された表示制御情報に従って表示部１０３の表示を制御することで、グラフィックを用いた表示画像が表示部１０３に表示される。また、ここでいう、表示制御情報には、映像信号（アナログ映像信号、デジタル映像信号）ストリーミングパケット、または命令情報（マークアップ言語（HTML（HyperText Markup Language）,XML（Extensible Markup Language）））が含まれる。【０２４４】
尚、以降においては、高速時に認識率が高いグラフィックについては、単に、高速用グラフィックと称するものとし、同様に、低速時に認識率が高いグラフィックについては、単に、低速用グラフィックと称するものとする。【０２４５】
＜図２６の情報処理装置による表示制御処理＞
次に、図２７乃至図３０のフローチャートを参照して、図２６の情報処理装置３１による表示制御処理について説明する。尚、図２７乃至図３０のフローチャートにおけるステップＳ８１乃至Ｓ９６、およびステップＳ１０２乃至Ｓ１０５の処理は、図１６，図１７のステップＳ４１乃至Ｓ５６の処理と同様であるので、その説明は省略するものとする。【０２４６】
すなわち、ステップＳ８１乃至Ｓ９６までの処理により、視線方向が固定されておらず、前回の表示時刻から時間ｔ１またはｔ２が経過して表示がなされる場合、割り込み表示がない場合、処理は、ステップＳ９７に進む。【０２４７】
ステップＳ９７（図２８）において、モード判定部１４１ａは、動作状態情報取得部１０１より供給されてくるユーザの現在の移動速度が、所定の速度ｖ２よりも高速であるか否かを判定し、高速ではない場合、処理は、ステップＳ９８に進む。【０２４８】
ステップＳ９８において、モード判定部１４１ａは、表示モードを時分割表示モードから低速用グラフィック表示モードに切り替えて設定し、表示画像生成部１４１ｂに供給する。【０２４９】
ステップＳ９９において、モード判定部１４１ａは、直前に表示した表示画像において、移動速度が高速であるとき認識率が高いグラフィックを用いた表示画像を表示しているか否かを判定する。ここで、例えば、直前の表示において、例えば、移動速度が高速であるときに認識率が高いグラフィックとして、例えば、図２３の画像表示領域Ｇ３，Ｇ１３，Ｇ２３を用いていた場合、高速用グラフィックで表示されているので、その処理は、ステップＳ１００に進む。【０２５０】
ステップＳ１００において、表示画像生成部１４１ｂは、表示している画像における高速用グラフィックを低速用グラフィックに変化が視認できるように変化させる。すなわち、表示制御部１４１は、例えば、図２３の画像表示領域Ｇ３，Ｇ１３，Ｇ２３のいずれかにより表示されていたグラフィックを、例えば、低速時に認識率が高いグラフィックである、図２３の画像表示領域Ｇ４，Ｇ１４，Ｇ２４の対応するグラフィックに、変化の過程が視認できるように変化させる。【０２５１】
より具体的には、画像表示領域Ｇ３，Ｇ１３，Ｇ２３で表示されるグラフィックを、例えば、アニメーション動画などで形状が徐々に変化するような表示画像を生成して、表示部１０３に表示させることで、形状を変化させるように表示部１０３に表示させる。このように、変化が視認できるように変化させる理由は、全く異なるグラフィックにより、同一の情報を提示する必要があるので、突然、グラフィックが変化すると、ユーザにより、何の情報が提示されているのか混乱させてしまう恐れがあるためである。従って、例えば、変化前後のグラフィックを同一のコラムで囲むなどしてグラフィックが変化したことを明示的に表現するようにしてもよい。【０２５２】
ステップＳ１０１において、表示画像生成部１４１ｂは、変化させた低速用グラフィックを用いて、現状の動作状態情報に基づいた第ｎの表示情報を表示部１０３に表示させる。【０２５３】
尚、ステップＳ９９において、高速用グラフィックを用いていない場合、または、既に低速用グラフィックを用いているような場合については、ステップＳ１００の処理がスキップされて、低速用グラフィックを用いて、現状の動作状態情報に基づいた第ｎの表示情報が表示される。【０２５４】
一方、ステップＳ９７において、移動速度が高速であると判定された場合、処理は、ステップＳ１０６に進む。【０２５５】
ステップＳ１０６において、モード判定部１４１ａは、表示モードを時分割表示モードから高速用グラフィック表示モードに切り替えて設定し、表示画像生成部１４１ｂに供給する。【０２５６】
ステップＳ１０７において、モード判定部１４１ａは、直前に表示した表示画像において、移動速度が低速であるとき認識率が高いグラフィックを用いた表示画像を表示しているか否かを判定する。ここで、例えば、直前の表示において、例えば、移動速度が低速であるときに認識率が高いグラフィックとして、例えば、図２３の画像表示領域Ｇ４，Ｇ１４，Ｇ２４を用いていた場合、低速用グラフィックで表示されているので、その処理は、ステップＳ１０１に進む。【０２５７】
ステップＳ１０８において、表示画像生成部１４１ｂは、表示している画像における低速用グラフィックを高速用グラフィックに変化が視認できるように変化させる。すなわち、表示制御部１４１は、例えば、図２３の画像表示領域Ｇ４，Ｇ１４，Ｇ２４のいずれかにより表示されていたグラフィックを、例えば、高速時に認識率が高いグラフィックである、図２３の画像表示領域Ｇ３，Ｇ１３，Ｇ２３の対応するグラフィックに、変化の過程が視認できるように変化させるように表示部１０３に表示させる。【０２５８】
ステップＳ１０９において、表示画像生成部１４１ｂは、変化させた高速用グラフィックを用いて、現状の動作状態情報に基づいた第ｎの表示情報を表示部１０３に表示させる。【０２５９】
尚、ステップＳ１０７において、低速用グラフィックを用いていない場合、または、既に高速用グラフィックを用いているような場合について、ステップＳ１０８の処理がスキップされて、高速用グラフィックを用いて、現状の動作状態情報に基づいた第ｎの表示情報が表示される。【０２６０】
ステップＳ９６において、割り込み表示情報があると見なされた場合、処理は、ステップＳ１１０に進む。【０２６１】
ステップＳ１１０（図２９）において、モード判定部１４１ａは、動作状態情報取得部１０１より供給されてくるユーザの現在の移動速度が、所定の速度ｖ２よりも高速であるか否かを判定し、高速ではない場合、処理は、ステップＳ１１１に進む。【０２６２】
ステップＳ１１１において、モード判定部１４１ａは、表示モードを時分割表示モードから低速用グラフィック表示モードに切り替えて設定し、表示画像生成部１４１ｂに供給する。【０２６３】
ステップＳ１１２において、表示画像生成部１４１ｂは、直前に表示した表示画像において、移動速度が高速であるとき認識率が高いグラフィックを用いた表示画像を表示しているか否かを判定する。ステップＳ１１２において、高速用グラフィックで表示されている場合、その処理は、ステップＳ１１３に進む。【０２６４】
ステップＳ１１３において、表示画像生成部１４１ｂは、表示している画像における高速用グラフィックを低速用グラフィックに変化が視認できるように変化させるように表示部１０３に表示させる。【０２６５】
ステップＳ１１４において、表示画像生成部１４１ｂは、変化させた低速用グラフィックを用いて、割り込み表示情報を表示部１０３に表示させる。【０２６６】
尚、ステップＳ１１２において、高速用グラフィックを用いていない場合、または、既に低速用グラフィックを用いているような場合について、ステップＳ１１３の処理がスキップされて、低速用グラフィックを用いて、割り込み表示情報が表示される。【０２６７】
一方、ステップＳ１１０において、移動速度が高速であると判定された場合、処理は、ステップＳ１１５に進む。【０２６８】
ステップＳ１１５において、モード判定部１４１ａは、表示モードを時分割表示モードから高速用グラフィック表示モードに切り替えて設定し、表示画像生成部１４１ｂに供給する。【０２６９】
ステップＳ１１６において、表示画像生成部１４１ｂは、直前に表示した表示画像において、移動速度が低速であるとき認識率が高いグラフィックを用いた表示画像を表示しているか否かを判定する。ステップＳ１１６において、例えば、低速用グラフィックで表示されている場合、その処理は、ステップＳ１１７に進む。【０２７０】
ステップＳ１１７において、表示画像生成部１４１ｂは、表示している画像における低速用グラフィックを高速用グラフィックに変化が視認できるように変化させるように表示部１０３に表示させる。【０２７１】
ステップＳ１１８において、表示画像生成部１４１ｂは、変化させた高速用グラフィックを用いて、割り込み表示情報を表示部１０３に表示させる。【０２７２】
尚、ステップＳ１１６において、低速用グラフィックを用いていない場合、または、既に高速用グラフィックを用いているような場合について、ステップＳ１１７の処理がスキップされて、高速用グラフィックを用いて、割り込み表示情報が表示される。【０２７３】
ステップＳ９２（図２７）において、視線方向が固定されているとみなされた場合、処理は、ステップＳ１１９に進む。【０２７４】
ステップＳ１１９（図３０）において、モード判定部１４１ａは、動作状態情報取得部１０１より供給されてくるユーザの現在の移動速度が、所定の速度ｖ２よりも高速であるか否かを判定し、高速ではない場合、処理は、ステップＳ１２０に進む。【０２７５】
ステップＳ１２０において、モード判定部１４１ａは、表示モードを時分割表示モードから低速用グラフィック表示モードに切り替えて設定し、表示画像生成部１４１ｂに供給する。【０２７６】
ステップＳ１２１において、表示画像生成部１４１ｂは、直前に表示した表示画像において、移動速度が高速であるとき認識率が高いグラフィックを用いた表示画像を表示しているか否かを判定する。ステップＳ１２１において、高速用グラフィックで表示されている場合、その処理は、ステップＳ１２２に進む。【０２７７】
ステップＳ１２２において、表示画像生成部１４１ｂは、表示している画像における高速用グラフィックを低速用グラフィックに変化が視認できるように変化させるように表示部１０３に表示させる。【０２７８】
ステップＳ１２３において、表示画像生成部１４１ｂは、変化させた低速用グラフィックを用いて、視線方向の表示情報を表示部１０３に表示させる。【０２７９】
尚、ステップＳ１２１において、高速用グラフィックを用いていない場合、または、既に低速用グラフィックを用いているような場合について、ステップＳ１２２の処理がスキップされて、低速用グラフィックを用いて、視線方向の表示情報が表示される。【０２８０】
一方、ステップＳ１１９において、移動速度が高速であると判定された場合、処理は、ステップＳ１２４に進む。【０２８１】
ステップＳ１２４において、モード判定部１４１ａは、表示モードを時分割表示モードから高速用グラフィック表示モードに切り替えて設定し、表示画像生成部１４１ｂに供給する。【０２８２】
ステップＳ１２５において、表示画像生成部１４１ｂは、直前に表示した表示画像において、移動速度が低速であるとき認識率が高いグラフィックを用いた表示画像を表示しているか否かを判定する。ステップＳ１２５において、例えば、低速用グラフィックで表示されている場合、その処理は、ステップＳ１２６に進む。【０２８３】
ステップＳ１２６において、表示画像生成部１４１ｂは、表示している画像における低速用グラフィックを高速用グラフィックに変化が視認できるように変化させるように表示部１０３に表示させる。【０２８４】
ステップＳ１２７において、ように表示部１０３に表示させるは、変化させた高速用グラフィックを用いて、割り込み表示情報を表示部１０３に表示させる。【０２８５】
尚、ステップＳ１２５において、低速用グラフィックを用いていない場合、または、既に高速用グラフィックを用いているような場合について、ステップＳ１２６の処理がスキップされて、高速用グラフィックを用いて、視線方向の表示情報が表示される。【０２８６】
以上の処理により、移動速度に応じて認識率の高いグラフィックに切り替えて表示することが可能となり、動作状態により認識率が低下するのを抑制することが可能となる。また、グラフィックを変化させる際、グラフィックの形状が変化する様子が視認できるように変化させるようにしているので、グラフィックの形状が変化しても、表示している情報が何の情報であるかを誤解するようなことを抑制することが可能となる。【０２８７】
尚、上述した第１の実施の形態乃至第３の実施の形態については、いずれを組み合わせるようにしてもよい。【０２８８】
また、以上においては、移動速度が高速になるほど、時系列に順次切り替えて表示される画像の表示時間を長くすることで、すなわち、フレームレートを落とすような手法で、テキストや、文字を認識し易くして、動作中であっても認識率の低下を抑制できる例について説明してきた。【０２８９】
しかしながら、図２３におけるレイアウトＧ３などのグラフィックなどの場合については、詳細な位置を読み取らなくても、概ね、どの程度であるのかを視認することは可能であり、むしろ、フレームレートを落とすように制御するよりも、フレームレートを上げて、グラフィックで表現される形状を高速で変化させる方が臨場感を持って表現することができる可能性もある。そこで、時系列に順次表示される画像については、情報を表示する形式に応じて、移動速度が高速になるほど、表示時間を短くしても良いし、逆に、移動速度が高速になるほど、表示時間を長くするようにしてもよい。【０２９０】
さらに、以上においては、最大４種類の異なる情報を表示する例について説明してきたが、例えば、それ以上に多くの種類の情報を表示する場合については、２種類の情報を複数回に分けて表示するようにしても、欲しい情報だけを読み落としてしまうといった理由で認識率が低減する恐れがある。そこで、複数の情報を複数に分けて表示し、さらに、同一の情報を複数回、繰り返し表示するようにしても良い。このようにすることで、何回か表示される内の１回でも情報を読み取ることができれば、読み落としを抑制することが可能となり、結果として、認識率の低下を抑制することが可能となる。【０２９１】
また、以上においては、情報処理装置３１における表示制御部１０２，１２１，１４１により表示部１０３に表示される画像の表示を制御する例について説明してきたが、表示制御部１０２，１２１，１４１に対応する構成については、情報処理装置内に必須の構成ではなく、例えば、インターネット、または、ローカルネットワーク上に設けて、表示される画像の情報だけを、眼鏡１１に装着された情報処理装置３１で表示するようにしても良い。【０２９２】
以上においては、運動強度に応じて、グラフィックを切り替える例について説明してきたが、振動方向の成分に応じて、グラフィックを切り替えるようにしてもよい。例えば、水平方向に値の変化が認識し易い図２３のグラフィックＧ１が用いられて表示されているような場合、水平方向の振動が検出されたときには、値を表現する軸として垂直成分を持つ、例えば、図２３のグラフィックＧ２またはＧ３に切り替えて表示するようにしても良い。また、逆に、例えば、垂直方向に値の変化が認識し易い図２３のグラフィックＧ２が用いられて表示されているような場合、垂直方向の振動が検出されたときには、値を表現する軸として水平成分を持つ、例えば、図２２のグラフィックＧ１またはＧ３に切り替えて表示するようにしても良い。【０２９３】
さらに、情報処理装置３１がネットワーク上に設けられるようにして、眼鏡１１における表示部１０３を（インターネット、またはローカル）ネットワークを通じて制御できる構成とするようにしてもよい。【０２９４】
また、上述した第１の実施の形態乃至第３の実施の形態は、以下のような構成をとることができる。【０２９５】
例えば、図３１で示されるように、動作状態情報取得部１０１、表示部１０３、操作部１０４、記憶部１０５、および視線検出部１０６を備えるHMD２０１と、表示制御部１０２，１２１，１４１のいずかを備える情報処理装置３１とが別体として構成され、互いに、有線通信またはWi-FiやBluetooth（登録商標）などを用いた無線通信を行うようにしてもよい。この場合、情報処理装置３１は、例えばスマートフォンなどの携帯端末として構成される。【０２９６】
さらに、図３２で示されるように、HMD２０１と情報処理装置３１とが、インターネットやイントラネットなどのネットワーク２２１を介して接続されるようにしてもよい。この場合、情報処理装置３１は、例えばネットワーク上のサーバなどとして構成される。【０２９７】
＜ソフトウェアにより実行させる例＞
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。【０２９８】
図３３は、汎用のパーソナルコンピュータの構成例を示している。このパーソナルコンピュータは、CPU(Central Processing Unit)１００１を内蔵している。CPU１００１にはバス１００４を介して、入出力インタ-フェイス１００５が接続されている。バス１００４には、ROM(Read Only Memory)１００２およびRAM(Random Access Memory)１００３が接続されている。【０２９９】
入出力インタ-フェイス１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。【０３００】
CPU１００１は、ROM１００２に記憶されているプログラム、または磁気ディスク、光ディスク、光磁気ディスク、もしくは半導体メモリ等のリムーバブルメディア１０１１ら読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。【０３０１】
以上のように構成されるコンピュータでは、CPU１００１が、例えば、記憶部１００８に記憶されているプログラムを、入出力インタフェース１００５及びバス１００４を介して、RAM１００３にロードして実行することにより、上述した一連の処理が行われる。【０３０２】
コンピュータ（CPU１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線または無線の伝送媒体を介して提供することができる。【０３０３】
コンピュータでは、プログラムは、リムーバブルメディア１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ROM１００２や記憶部１００８に、あらかじめインストールしておくことができる。【０３０４】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。【０３０５】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。【０３０６】
なお、本技術の実施の形態は、上述した実施の形態に限定されるものではなく、本技術の要旨を逸脱しない範囲において種々の変更が可能である。【０３０７】
例えば、本技術は、１つの機能をネットワークを介して複数の装置で分担、共同して処理するクラウドコンピューティングの構成をとることができる。【０３０８】
また、上述のフローチャートで説明した各ステップは、１つの装置で実行する他、複数の装置で分担して実行することができる。【０３０９】
さらに、１つのステップに複数の処理が含まれる場合には、その１つのステップに含まれる複数の処理は、１つの装置で実行する他、複数の装置で分担して実行することができる。【０３１０】
尚、本技術は、以下のような構成も取ることができる。
＜１＞  動作状態情報を取得する動作状態情報取得部と、
前記動作状態情報取得部によって取得される前記動作状態情報に基づいて、複数の表示モードから表示モードを設定する表示モード設定部とを備え、
前記複数の表示モードは、第１の情報と、前記第１の情報と異なる第２の情報とを同時に表示する第一の表示モードと、前記第１の情報と前記第２の情報とを異なるタイミングで表示する第二の表示モードとを含む
情報処理装置。
＜２＞  前記複数の表示モードは、前記第１の情報と、前記第２の情報とを同時に表示する第一の表示モード、前記第１の情報と、前記第２の情報とを、異なるタイミングで時間帯を分けて表示する第二の表示モードとを含む
＜１＞に記載の情報処理装置。
＜３＞  前記表示モード設定部は、前記第１の情報と、前記第２の情報とを同時に表示する第一の表示モード、および、前記第１の情報を第１のタイミングで表示し、かつ、前記第２の情報を前記第１のタイミングと異なる第２のタイミングで表示する第二の表示モードに設定する
＜２＞に記載の情報処理装置。
＜４＞  前記複数の表示モードは、前記第１の情報と、前記第２の情報とを同時に表示する第一の表示モードと、前記第１の情報を第１のタイミングで表示し、かつ、前記第２の情報を前記第１のタイミングと異なる第２のタイミングで表示する第二の表示モードとを含み、前記第１のタイミングと前記第２のタイミングとは、重複しない
＜２＞に記載の情報処理装置。
＜５＞  前記表示モード設定部は、第１の情報と、前記第２の情報とを同時に表示する同時表示モード、および、前記第１の情報を第１のタイミングで表示し、かつ、前記第２の情報を前記第１のタイミングと異なる第２のタイミングで時分割に表示する時分割表示モードに設定する
＜４＞に記載の情報処理装置。
＜６＞  前記動作状態情報は、ユーザの運動強度を含む
＜１＞乃至＜５＞のいずれかに記載の情報処理装置。
＜７＞  前記ユーザの運動強度は、前記ユーザの移動速度、振動、視線、心拍、体温、発汗、脳波、または筋電が測定されることにより特定される
＜６＞に記載の情報処理装置。
＜８＞  前記表示モード設定部は、前記運動強度が第１の所定の閾値よりも弱い場合、前記第１の情報と、前記第２の情報とを同時に表示する第一の表示モードに設定し、前記運動強度が第１の所定の閾値よりも強い場合、前記第１の情報と、前記第２の情報とを、異なるタイミングで時間帯を分けて表示する第二の表示モードに設定する
＜１＞に記載の情報処理装置。
＜９＞  前記表示モード設定部は、前記運動強度が前記第１の所定の閾値よりも強く、前記第１の情報と、前記第２の情報とを、異なるタイミングで時間帯を分けて表示する第二の表示モードに設定する場合、前記運動強度に応じて、前記第１の情報、および前記第２の情報を表示する表示時間を設定する
＜８＞に記載の情報処理装置。
＜１０＞  前記表示モード設定部は、前記運動強度が前記第１の所定の閾値よりも強く、前記第１の情報と、前記第２の情報とを、異なるタイミングで時間帯を分けて表示する第二の表示モードに設定する場合、前記運動強度が第１の所定の閾値より強い第２の所定の閾値よりも弱いとき、前記所定数の情報ずつ、第１の表示時間だけ表示するように設定し、前記運動強度が前記第２の所定の閾値よりも強いとき、前記第１の情報および前記第２の情報を、第２の表示時間だけ表示するように設定する
＜８＞に記載の情報処理装置。
＜１１＞  前記第１の表示時間は、前記第２の表示時間より短い
＜１＞乃至＜１０＞のいずれかに記載の情報処理装置。
＜１２＞  前記第１の表示時間は、前記第２の表示時間より長い
＜１０＞に記載の情報処理装置。
＜１３＞  前記表示モード設定部は、前記運動強度が前記第１の所定の閾値よりも強く、前記第１の情報と、前記第２の情報とを、異なるタイミングで時間帯を分けて表示する第二の表示モードに設定する場合、前記運動強度が第１の所定の閾値より強い第２の所定の閾値よりも弱いとき、前記所定数の情報ずつ、第１の表示時間だけ表示するように設定し、前記運動強度が第１の所定の閾値より強い第２の所定の閾値よりも強いとき、前記第１の情報および前記第２の情報を、第２の表示時間だけ表示するように設定する
＜６＞に記載の情報処理装置。
＜１４＞  前記表示モード設定部は、表示すべき情報の重要度に応じて、前記第１の情報、および前記第２の情報を表示する表示時間を設定する
＜１＞乃至＜１３＞のいずれかに記載の情報処理装置。
＜１５＞  前記複数の表示モードは、ユーザの操作内容に基づいて、前記運動強度に応じて、前記第１の情報と、前記第２の情報とを同時に表示する第一の表示モード、および、前記第１の情報と前記第２の情報とを異なるタイミングで表示する第二の表示モードを含む
＜１＞乃至＜１４＞のいずれかに記載の情報処理装置。
＜１６＞  前記表示モード設定部により設定された前記表示モードに応じて画像を生成する表示画像生成部をさらに備える
＜１＞乃至＜１５＞のいずれかに記載の情報処理装置。
＜１７＞  外界と同時に視認可能な画像を表示する表示部をさらに備え、
前記表示部は、前記表示画像生成部により前記表示モード設定部で設定された前記表示モードに応じて生成された画像を前記表示画像として表示する
＜１６＞に記載の情報処理装置。
＜１８＞  前記表示部は、光がユーザの瞳孔に向けて出射される領域の他の方向よりも長さが短い方向の長さが前記瞳孔の径の変動上限以下の長さである接眼光学系によって表示される前記表示画像の表示をさらに含む
＜１＞乃至＜１７＞のいずれかに記載の情報処理装置。
＜１９＞  前記表示モード設定部は、モバイル端末の表示を制御する
＜１＞乃至＜１８＞のいずれかに記載の情報処理装置。
＜２０＞  動作状態情報を取得し、
取得される前記動作状態情報に基づいて、複数の表示モードから表示モードを設定するステップを備え、
前記複数の表示モードは、第１の情報と、前記第１の情報と異なる第２の情報とを同時に表示する第一の表示モードと、前記第１の情報と前記第２の情報とを異なるタイミングで表示する第二の表示モードとを含む
情報処理方法。
＜２１＞  動作状態情報を取得する動作状態情報取得部と、
前記動作状態情報取得部によって取得される前記動作状態情報に基づいて、複数の表示モードから表示モードを設定する表示モード設定部としてコンピュータを機能させ、
前記複数の表示モードは、第１の情報と、前記第１の情報と異なる第２の情報とを同時に表示する第一の表示モードと、前記第１の情報と前記第２の情報とを異なるタイミングで表示する第二の表示モードとを含む
プログラム。
【符号の説明】
【０３１１】
１１  眼鏡，  ３１  情報処理装置，  ４１  本体部，  ４１ａ  操作部，  ４２  アーム，  ４３  導光反射部，  ５１  導光部，  ６１  接眼レンズ，  ７１  投射部，  ７２  反射部，  １０１  動作状態情報取得部，  １０２  表示制御部，  １０２ａ  表示モード設定部，  １０２ｂ  表示画像生成部，  １０３  表示部，  １０４  操作部，  １０５  記憶部，  １０６  視線検出部，  １２１  表示制御部，  １２１ａ  表示モード設定部，  １２１ｂ  表示画像生成部，  １４１  表示制御部，  １４１ａ  表示モード設定部，  １４１ｂ  表示画像生成部
【図１】
2017057037.tif 000003
【図２】
2017057037.tif 000004
【図３】
2017057037.tif 000005
【図４】
2017057037.tif 000006
【図５】
2017057037.tif 000007
【図６】
2017057037.tif 000008
【図７】
2017057037.tif 000009
【図８】
2017057037.tif 000010
【図９】
2017057037.tif 000011
【図１０】
2017057037.tif 000012
【図１１】
2017057037.tif 000013
【図１２】
2017057037.tif 000014
【図１３】
2017057037.tif 000015
【図１４】
2017057037.tif 000016
【図１５】
2017057037.tif 000017
【図１６】
2017057037.tif 000018
【図１７】
2017057037.tif 000019
【図１８】
2017057037.tif 000020
【図１９】
2017057037.tif 000021
【図２０】
2017057037.tif 000022
【図２１】
2017057037.tif 000023
【図２２】
2017057037.tif 000024
【図２３】
2017057037.tif 000025
【図２４】
2017057037.tif 000026
【図２５】
2017057037.tif 000027
【図２６】
2017057037.tif 000028
【図２７】
2017057037.tif 000029
【図２８】
2017057037.tif 000030
【図２９】
2017057037.tif 000031
【図３０】
2017057037.tif 000032
【図３１】
2017057037.tif 000033
【図３２】
2017057037.tif 000034
【図３３】
2017057037.tif 000035
【国際調査報告】
2017057037.tif 000036
2017057037.tif 000037
2017057037.tif 000038
2017057037.tif 000039